(57)【要約】【課題】  像担持体上のトナー像を記録材に転写する際に中抜けがなく、高画質の画像形成が可能な乾式二成分あるいは一成分現像剤を用いた電子写真方式の画像形成装置を提供すること。【解決手段】  少なくとも、像担持体に静電潜像を形成する手段と、像担持体上にトナーを用いて画像を形成する現像手段と、像担持体上に形成されたトナー画像を中間転写体に転写する一次転写手段と、中間転写体上のトナー画像を記録材上に転写する二次転写手段とを備えた画像形成装置であって、前記像担持体または中間転写体上の未帯電トナーに対して付着面に垂直な方向に所定の回転数で逐次遠心力を作用させ、脱離トナーに作用する遠心力を全ての回転数の各離脱トナーについて平均した値をＦｎｅ、前記像担持体に対するＦｎｅをＦｎｅ（Ｐ）、前記中間転写体に対するＦｎｅをＦｎｅ（Ｔ）とし、Ｆｎｅ（Ｐ）とＦｎｅ（Ｔ）の比Ｆｎｅ（Ｐ）／Ｆｎｅ（Ｔ）が１以下であることを特徴とする画像形成装置。【選択図】        図１
2004302422.tif 000002
【特許請求の範囲】
【請求項１】
少なくとも、像担持体に静電潜像を形成する手段と、像担持体上にトナーを用いて画像を形成する現像手段と、像担持体上に形成されたトナー画像を中間転写体に転写する一次転写手段と、中間転写体上のトナー画像を記録材上に転写する二次転写手段とを備えた画像形成装置であって、前記像担持体または中間転写体上の未帯電トナーに対して付着面に垂直な方向に所定の回転数で逐次遠心力を作用させ、脱離トナーに作用する遠心力を全ての回転数の各離脱トナーについて平均した値をＦｎｅ、前記像担持体に対するＦｎｅをＦｎｅ（Ｐ）、前記中間転写体に対するＦｎｅをＦｎｅ（Ｔ）とし、Ｆｎｅ（Ｐ）とＦｎｅ（Ｔ）の比Ｆｎｅ（Ｐ）／Ｆｎｅ（Ｔ）が１以下であることを特徴とする画像形成装置。
【請求項２】
前記Ｆｎｅを、前記像担持体と同質の表面が形成された基板上に未帯電トナーを付着し、該基板のトナー付着面が受け基板と対面するようにスペーサを介して測定セルを構成し、次いでトナー付着面の垂直な方向に遠心力が作用するように該測定セルを遠心分離装置に装着して、回転数を上げながら各設定回転後に測定セルの受け基板を取り替え、全ての設定回転数について遠心分離をした後、前記各受け基板の一部の領域について付着した各トナーの粒径ｄを計測するとともに、計測した全トナーについて、下記式（１）により算出されたトナー脱離前後の回転数ｆ（ｒｐｍ）における遠心力（Ｆｃ）を算術平均した値の常用対数に関して算術平均値Ａを算出し、Ｆｎｅ＝１０ＡよりＦｎｅを求める方法により設定することを特徴とする請求項１に記載の画像形成装置。
【数１】
2004302422.tif 000011
（但し、ρ：トナーの真比重（ｋｇ／ｍ３）、ｄ：トナーの粒径（ｍ）、ｒ：回転半径（ｍ）を表わす。）
【請求項３】
前記像担持体の表面に潤滑剤を塗布する手段を有することを特徴とする請求項１又は２に記載の画像形成装置。
【請求項４】
前記潤滑剤中に、少なくとも１種類以上の一次粒子径の平均値がトナーの体積平均粒径の１／１０以下の微粒子が含まれていることを特徴とする請求項３に記載の画像形成装置。
【請求項５】
前記中間転写体の表面に潤滑剤を塗布する手段を有することを特徴とする請求項１乃至４のいずれかに記載の画像形成装置。
【請求項６】
前記中間転写体の線速を前記像担持体の線速と異なるように設定し、像担持体の線速に対する中間転写体と像担持体の線速差の比を１〜５％の範囲内に設定したことを特徴とする請求項１乃至５のいずれかに記載の画像形成装置。
【請求項７】
前記記録材の線速を前記中間転写体の線速と異なるように設定し、中間転写体の線速に対する記録材と中間転写体の線速差の比を１〜５％の範囲内に設定したことを特徴とする請求項１乃至６のいずれかに記載の画像形成装置。
【請求項８】
前記潤滑剤中の微粒子が球状の無機微粒子であることを特徴とする請求項４乃至７のいずれかに記載の画像形成装置。
【請求項９】
前記潤滑剤がステアリン酸亜鉛であることを特徴とする請求項４乃至８のいずれかに記載の画像形成装置。
【請求項１０】
前記用いられるトナーは、一次粒子径の平均値が３０ｎｍ〜３００ｎｍである微粒子を少なくとも１種類以上含む外添剤によって表面が被覆されていることを特徴とする請求項１乃至９のいずれかに記載の画像形成装置。
【請求項１１】
前記用いられるトナーは、１粒子の表面積に対する外添剤の被覆面積比率の平均値が１５〜１００％となるように調整したことを特徴とする請求項１乃至１０のいずれかに記載の画像形成装置。
【請求項１２】
前記外添剤として、疎水化処理されたシリカ、酸化チタンあるいはアルミナのいずれかを少なくとも１種類以上含有することを特徴とする請求項１１に記載の画像形成装置。
【請求項１３】
前記用いられるトナーは、製造工程あるいは熱や機械的力による製造後の工程において球形化されたものであることを特徴とする請求項１乃至１２のいずれかに記載の画像形成装置。
【請求項１４】
前記製造工程は、重合法であることを特徴とする請求項１３に記載の画像形成装置。
【請求項１５】
前記球形化されたトナーの平均円形度は、０．９５〜１．０であることを特徴とする請求項１３又は１４に記載の画像形成装置。
【請求項１６】
前記用いられるトナーの体積平均粒径は、３〜９μｍの範囲であることを特徴とする請求項１乃至１５のいずれかに記載の画像形成装置。
【請求項１７】
前記像担持体は表面に凹凸が形成され、その凹凸の周期の平均値がトナーの体積平均粒径の１０倍以上となるようにしたことを特徴とする請求項１乃至１６のいずれかに記載の画像形成装置。
【請求項１８】
前記像担持体の感光体は、導電性支持体上に少なくとも有機材料からなる電荷発生層と電荷輸送層とが順次形成され、必要により更に保護層が形成された構成からなる有機感光体であることを特徴とする請求項１乃至１７のいずれかに記載の画像形成装置。
【請求項１９】
前記中間転写体として中間転写ベルトを用い、該中間転写ベルトの体積抵抗率が１０７〜１０１３Ωｃｍとなるように調整したことを特徴とする請求項１乃至１８のいずれかに記載の画像形成装置。
【請求項２０】
少なくとも、像担持体に静電潜像を形成する手段と、像担持体上にトナーを用いて画像を形成する現像手段と、像担持体上に形成されたトナー画像を中間転写体に転写する一次転写手段と、中間転写体上のトナー画像を記録材上に転写する二次転写手段とを備えた画像形成装置に用いられるトナーであって、該トナーは平均円形度が０．９５〜１．０で、体積平均粒径が３〜９μｍとなるように球形化され、かつ一次粒子径が３０〜３００ｎｍの微粒子を含む外添剤によってその表面が被覆されていることを特徴とするトナー。
【請求項２１】
請求項２０に記載のトナーとキャリアを混合したことを特徴とする二成分現像剤。
【請求項２２】
少なくとも、像担持体に静電潜像を形成する手段と、像担持体上にトナーを用いて画像を形成する現像手段と、像担持体上に形成されたトナー画像を中間転写体に転写する一次転写手段と、中間転写体上のトナー画像を記録材上に転写する二次転写手段とを備えた画像形成装置における像担持体と、帯電手段、現像手段およびクリーニング手段から選ばれる少なくとも一つの手段とを一体に支持し画像形成装置に着脱自在であるプロセスカートリッジであって、前記現像手段は請求項２０又は２１に記載のトナーもしくは二成分現像剤を保持することを特徴とするプロセスカートリッジ。
【請求項２３】
少なくとも、像担持体に静電潜像を形成する手段と、像担持体上にトナーを用いて画像を形成する現像手段と、像担持体上に形成されたトナー画像を中間転写体に転写する一次転写手段と、中間転写体上のトナー画像を記録材上に転写する二次転写手段とを備えた画像形成装置を用いた電子写真画像形成方法であって、前記像担持体上に少なくとも１種類以上の一次粒子径の平均値がトナーの体積平均粒径の１／１０以下の微粒子を含む潤滑剤を塗布することを特徴とする電子写真画像形成方法。
【請求項２４】
前記中間転写体上に潤滑剤を塗布することを特徴とする請求項２３に記載の電子写真画像形成方法。
【請求項２５】
少なくとも、像担持体に静電潜像を形成する手段と、像担持体上にトナーを用いて画像を形成する現像手段と、像担持体上に形成されたトナー画像を中間転写体に転写する一次転写手段と、中間転写体上のトナー画像を記録材上に転写する二次転写手段と、前記像担持体の表面に潤滑剤を塗布する手段とを備えた画像形成装置に用いられる潤滑剤であって、少なくとも１種類以上の一次粒子径の平均値がトナーの体積平均粒径の１／１０以下の微粒子を含むことを特徴とする潤滑剤。
【発明の詳細な説明】
【技術分野】
【０００１】
本発明は、乾式二成分あるいは一成分現像剤を用いた複写機、プリンター、ファクシミリ等の電子写真方式の画像形成装置に関する。
【背景技術】
【０００２】
従来、電子写真方式による画像形成装置としては多様な方法が知られており、一般的には、まず像担持体表面を帯電させ、帯電させた像担持体を露光して静電潜像を形成する。次いで、静電潜像に対してトナーを用いて現像し、像担持体上にトナー像を形成する。さらに、中間転写体を介するか、あるいは直接的に像担持体上のトナー像を記録紙などの記録材上に転写し、この転写されたトナー像を加熱、加圧、もしくはこれらの併用により定着する。これら一連の手順によって記録材上に画像が形成された記録物が得られる。なお、トナー像転写後の像担持体上に残存したトナーは、ブレード、ブラシ、ローラ等の既知の方法によりクリーニングされる。
【０００３】
これまで、像担持体上のトナー像を記録材に転写する手段としては、コロナ放電を利用して記録材の裏側を帯電するコロナ帯電方式が用いられてきた。しかし、このコロナ帯電方式の場合にはオゾンが発生するという問題があるため、近年は記録材にローラ、ベルト等を接触させて、直接電圧を印加する方式が多く用いられている。これらの方式は、コロナ帯電方式に比べてオゾン発生量が低減され、像担持体と記録材間に圧力が加えられているので、それぞれ両者間の密着性が良く、良好な転写画像が得られる。
【０００４】
また、カラー画像を形成する転写方式には様々な方式があるが、ローラまたはベルト状の中間転写体を用いる中間転写体方式は、特に高画質の転写画像が得られる。中間転写体方式では、まず像担持体と中間転写体間に電圧を印加し、像担持体上の各色のトナー像を中間転写体上に転写する。次に、中間転写体と記録材間に電圧を印加し、中間転写体上に転写されたトナー像を記録材上に転写する。
【０００５】
しかし、上記の中間転写方式では、像担持体と中間転写体間または中間転写体と記録材間の圧力によってトナー層が圧縮されるため、トナー層の内部応力が増大してトナーが凝集しやすくなり、トナー画像の一部が転写されない現象が生じやすくなる。この現象は、特に圧力がかかりやすい細線部に起こりやすく、その中心部が転写されない、いわゆる「中抜け現象」が発生する。
この中抜け現象の対策としては、像担持体と中間転写体間または中間転写体と記録材間の圧力を低く設定する方法が考えられるが、圧力が低い場合には接触不良による転写ムラや転写ブレが生じやすくなる。
また、上記中抜け現象の対策として、像担持体と中間転写体間または中間転写体と記録材間に速度差を設け、トナー層にせん断力を与えて中抜けを防止する方法が知られている（例えば、特許文献１、特許文献２参照。）。
この方法によれば、圧力によって凝集したトナーが機械的な力で分離されるため中抜けの防止には有効である。しかし、像担持体と中間転写体との速度差が大きいと、速度差のばらつきによる画像長さの変動が大きくなり、画像品質が低下しやすいという問題があり、一方、逆に速度差が小さいと充分な中抜け改善効果が得られないという問題がある。
さらに、トナーにシリカ等の微粒子を添加することによりトナー間の付着力を小さくして、トナー層の内部応力が増大してもトナーが凝集しにくくなるようにして、中抜けを防止する方法が知られている（例えば、特許文献３参照。）。
しかし、トナーに外添された微粒子は、キャリアとの混合撹拌等の画像形成装置内の様々なストレスによりトナー内部に埋れ易く、外添剤が埋れたトナーは付着力が大きくなって中抜けが生じ易くなる。
【０００６】
さらに、「中抜け現象」の発生防止については様々な提案がなされており、例えば、転写位置における像担持体の移動速度に対する同位置における中間転写体の移動速度の比を規定したもの（例えば、特許文献４参照。）、感光体との非静電的付着力を規定したトナーを用いることにしたもの（例えば、特許文献５参照。）、含有する少なくとも２種類の異なった平均粒径の無機微粉末の内、少なくとも１種類の無機微粉末がシリコーンオイルで表面処理されたものが用いられてなるトナーを用いることにしたもの（例えば、特許文献６参照。）、複数の像担持体上に形成された複数色の画像を、中間転写体上に順次重ね合わせて転写する画像形成装置において、少なくとも１つの像担持体の周速度が他の像担持体と異なるようにしたもの（例えば、特許文献７参照。）、あるいは重量平均粒径、円形度分布及び特定円形度の粒子の含有量とのそれぞれを数値範囲で規定したトナーを用いることにしたもの（例えば、特許文献８参照。）等を挙げることができる。
しかしながら、これらの提案は、いずれも「中抜け現象」の発生を防止するには充分満足できるものではない。
【０００７】
【特許文献１】特開平６−１７５４７４号公報（特許請求の範囲）
【特許文献２】特開２００１−１８３９１５号公報（請求項１乃至６）
【特許文献３】特許第２９８７７８３号公報（請求項１）
【特許文献４】特開２０００−１６２８９９号公報（請求項１）
【特許文献５】特開２０００−６６４４１号公報（請求項１）
【特許文献６】特開２０００−２９８３７３号公報（請求項１）
【特許文献７】特開２００１−５１４６８号公報（請求項１）
【特許文献８】特開２００１−３１２０９１号公報（請求項１）
【発明の開示】
【発明が解決しようとする課題】
【０００８】
本発明は、上記のような問題点に鑑みてなされたものであり、その目的とするところは、像担持体上のトナー像を記録材に転写する際に中抜けがなく、高画質の画像形成が可能な乾式二成分あるいは一成分現像剤を用いた電子写真方式の画像形成装置を提供するものである。
【課題を解決するための手段】
【０００９】
上記課題を解決するために、本発明に係る画像形成装置とその画像形成方法は、電子写真方式の画像形成装置における各作像手段（感光体や中間転写体など）とトナーや潤滑剤など多くの要素やパラメータとの関係について鋭意検討した結果、下記に記載する構成により像担持体上のトナー像を記録材に転写する際に中抜けがなく、高画質の画像形成が可能であり、乾式二成分あるいは一成分現像剤を用いた複写機、プリンター、ファクシミリ等に適用することを可能としたものである。
【００１０】
上記課題は、本発明の（１）「少なくとも、像担持体に静電潜像を形成する手段と、像担持体上にトナーを用いて画像を形成する現像手段と、像担持体上に形成されたトナー画像を中間転写体に転写する一次転写手段と、中間転写体上のトナー画像を記録材上に転写する二次転写手段とを備えた画像形成装置であって、前記像担持体または中間転写体上の未帯電トナーに対して付着面に垂直な方向に所定の回転数で逐次遠心力を作用させ、脱離トナーに作用する遠心力を全ての回転数の各離脱トナーについて平均した値をＦｎｅ、前記像担持体に対するＦｎｅをＦｎｅ（Ｐ）、前記中間転写体に対するＦｎｅをＦｎｅ（Ｔ）とし、Ｆｎｅ（Ｐ）とＦｎｅ（Ｔ）の比Ｆｎｅ（Ｐ）／Ｆｎｅ（Ｔ）が１以下であることを特徴とする画像形成装置」、（２）「前記Ｆｎｅを、前記像担持体と同質の表面が形成された基板上に未帯電トナーを付着し、該基板のトナー付着面が受け基板と対面するようにスペーサを介して測定セルを構成し、次いでトナー付着面の垂直な方向に遠心力が作用するように該測定セルを遠心分離装置に装着して、回転数を上げながら各設定回転後に測定セルの受け基板を取り替え、全ての設定回転数について遠心分離をした後、前記各受け基板の一部の領域について付着した各トナーの粒径ｄを計測するとともに、計測した全トナーについて、下記式（１）により算出されたトナー脱離前後の回転数ｆ（ｒｐｍ）における遠心力（Ｆｃ）を算術平均した値の常用対数に関して算術平均値Ａを算出し、Ｆｎｅ＝１０ＡよりＦｎｅを求める方法により設定することを特徴とする請求項１に記載の画像形成装置。
【数１】
2004302422.tif 000003
（但し、ρ：トナーの真比重（ｋｇ／ｍ３）、ｄ：トナーの粒径（ｍ）、ｒ：回転半径（ｍ）を表わす。）」、（３）「前記像担持体の表面に潤滑剤を塗布する手段を有することを特徴とする前記第（１）項又は第（２）項に記載の画像形成装置」、（４）「前記潤滑剤中に、少なくとも１種類以上の一次粒子径の平均値がトナーの体積平均粒径の１／１０以下の微粒子が含まれていることを特徴とする前記第（３）項に記載の画像形成装置」、（５）「前記中間転写体の表面に潤滑剤を塗布する手段を有することを特徴とする前記第（１）項乃至第（４）項のいずれかに記載の画像形成装置」、（６）「前記中間転写体の線速を前記像担持体の線速と異なるように設定し、像担持体の線速に対する中間転写体と像担持体の線速差の比を１〜５％の範囲内に設定したことを特徴とする前記第（１）項乃至第（５）項のいずれかに記載の画像形成装置」、（７）「前記記録材の線速を前記中間転写体の線速と異なるように設定し、中間転写体の線速に対する記録材と中間転写体の線速差の比を１〜５％の範囲内に設定したことを特徴とする前記第（１）項乃至第（６）項のいずれかに記載の画像形成装置」、（８）「前記潤滑剤中の微粒子が球状の無機微粒子であることを特徴とする前記第（４）項乃至第（７）項のいずれかに記載の画像形成装置」、（９）「前記潤滑剤がステアリン酸亜鉛であることを特徴とする前記第（４）項乃至第（８）項のいずれかに記載の画像形成装置」、（１０）「前記用いられるトナーは、一次粒子径の平均値が３０ｎｍ〜３００ｎｍである微粒子を少なくとも１種類以上含む外添剤によって表面が被覆されていることを特徴とする前記第（１）項乃至第（９）項のいずれかに記載の画像形成装置」、（１１）「前記用いられるトナーは、１粒子の表面積に対する外添剤の被覆面積比率の平均値が１５〜１００％となるように調整したことを特徴とする前記第（１）項乃至第（１０）項のいずれかに記載の画像形成装置」、（１２）「前記外添剤として、疎水化処理されたシリカ、酸化チタンあるいはアルミナのいずれかを少なくとも１種類以上含有することを特徴とする前記第（１１）項に記載の画像形成装置」、（１３）「前記用いられるトナーは、製造工程あるいは熱や機械的力による製造後の工程において球形化されたものであることを特徴とする前記第（１）項乃至第（１２）項のいずれかに記載の画像形成装置」、（１４）「前記製造工程は、重合法であることを特徴とする前記第（１３）項に記載の画像形成装置」、（１５）「前記球形化されたトナーの平均円形度は、０．９５〜１．０であることを特徴とする前記第（１３）項又は第（１４）項に記載の画像形成装置」、（１６）「前記用いられるトナーの体積平均粒径は、３〜９μｍの範囲であることを特徴とする前記第（１）項乃至第（１５）項のいずれかに記載の画像形成装置」、（１７）「前記像担持体は表面に凹凸が形成され、その凹凸の周期の平均値がトナーの体積平均粒径の１０倍以上となるようにしたことを特徴とする前記第（１）項乃至第（１６）項のいずれかに記載の画像形成装置」、（１８）「前記像担持体の感光体は、導電性支持体上に少なくとも有機材料からなる電荷発生層と電荷輸送層とが順次形成され��必要により更に保護層が形成された構成からなる有機感光体であることを特徴とする前記第（１）項乃至第（１７）項のいずれかに記載の画像形成装置」、（１９）「前記中間転写体として中間転写ベルトを用い、該中間転写ベルトの体積抵抗率が１０７〜１０１３Ωｃｍとなるように調整したことを特徴とする前記第（１）項乃至第（１８）項のいずれかに記載の画像形成装置」によって解決される。
また、上記課題は、本発明の（２０）「少なくとも、像担持体に静電潜像を形成する手段と、像担持体上にトナーを用いて画像を形成する現像手段と、像担持体上に形成されたトナー画像を中間転写体に転写する一次転写手段と、中間転写体上のトナー画像を記録材上に転写する二次転写手段とを備えた画像形成装置に用いられるトナーであって、該トナーは平均円形度が０．９５〜１．０で、体積平均粒径が３〜９μｍとなるように球形化され、かつ一次粒子径が３０〜３００ｎｍの微粒子を含む外添剤によってその表面が被覆されていることを特徴とするトナー」によって解決される。
また、上記課題は、本発明の（２１）「前記第（２０）項に記載のトナーとキャリアを混合したことを特徴とする二成分現像剤」によって解決される。
ｃ（２２）「少なくとも、像担持体に静電潜像を形成する手段と、像担持体上にトナーを用いて画像を形成する現像手段と、像担持体上に形成されたトナー画像を中間転写体に転写する一次転写手段と、中間転写体上のトナー画像を記録材上に転写する二次転写手段とを備えた画像形成装置における像担持体と、帯電手段、現像手段およびクリーニング手段から選ばれる少なくとも一つの手段とを一体に支持し画像形成装置に着脱自在であるプロセスカートリッジであって、前記現像手段は前記第（２０）項又は第（２１）項に記載のトナーもしくは二成分現像剤を保持することを特徴とするプロセスカートリッジ」によって解決される。
また、上記課題は、本発明の（２３）「少なくとも、像担持体に静電潜像を形成する手段と、像担持体上にトナーを用いて画像を形成する現像手段と、像担持体上に形成されたトナー画像を中間転写体に転写する一次転写手段と、中間転写体上のトナー画像を記録材上に転写する二次転写手段とを備えた画像形成装置を用いた電子写真画像形成方法であって、前記像担持体上に少なくとも１種類以上の一次粒子径の平均値がトナーの体積平均粒径の１／１０以下の微粒子を含む潤滑剤を塗布することを特徴とする電子写真画像形成方法」、（２４）「前記中間転写体上に潤滑剤を塗布することを特徴とする前記第（２３）項に記載の電子写真画像形成方法」によって解決される。
また、上記課題は、本発明の、（２５）「少なくとも、像担持体に静電潜像を形成する手段と、像担持体上にトナーを用いて画像を形成する現像手段と、像担持体上に形成されたトナー画像を中間転写体に転写する一次転写手段と、中間転写体上のトナー画像を記録材上に転写する二次転写手段と、前記像担持体の表面に潤滑剤を塗布する手段とを備えた画像形成装置に用いられる潤滑剤であって、少なくとも１種類以上の一次粒子径の平均値がトナーの体積平均粒径の１／１０以下の微粒子を含むことを特徴とする潤滑剤」によって解決される。
【発明の効果】
【００１１】
本発明によれば、遠心分離法により像担持体に対するトナーの非静電的付着力Ｆｎｅ（Ｐ）と中間転写体に対するトナーの非静電的付着力Ｆｎｅ（Ｔ）とが容易に測定でき、Ｆｎｅ（Ｐ）／Ｆｎｅ（Ｔ）を１以下となるような構成を容易に設定することができ、転写中抜けの発生が抑制され、画像不良が生じない高画質の画像形成装置を提供することができる。
また、像担持体及び中間転写体上に潤滑剤を塗布する手段を有し、像担持体上に塗布する潤滑剤中に微粒子を含有することにより、一次転写及び二次転写における転写中抜けの発生が抑制され、画像不良が生じない高画質の画像形成装置を提供することができる。
また、像担持体の線速に対する中間転写体と像担持体の線速差の比、及び中間転写体の線速に対する記録材と中間転写体の線速差の比を１％から５％に設定したことにより、画像長さの変動が抑えられ、転写中抜けの発生と画像品質の低下を抑制できる。
また、潤滑剤中の微粒子として球形の微粒子を用いることにより、像担持体が損傷しにくいので画像不良の発生を抑制することができる。さらに、潤滑剤としてステアリン酸亜鉛を用いることにより、画像形成に関して悪影響を及ぼさず、安定した画像を提供することができる。
また、一次粒子径の平均値が３０ｎｍ〜３００ｎｍである微粒子を少なくとも１種類以上含む外添剤（疎水化処理されたシリカ、チタン、アルミナのいずれかを少なくとも１種類以上含有）を用いてトナーの表面を被覆し、その被覆面積比率の平均値を１５〜１００％となるように調整することにより、トナーから外添剤が分離せず、外添剤がトナー中に埋没することなく転写中抜けの発生を抑制し、高転写性を維持するのに有効である。
さらに、製造工程（重合法）あるいは製造後の工程において球形化（平均円形度が０．９５〜１．０、体積平均粒径が３〜９μｍ）したトナーを用いることにより、転写中抜けの発生を抑制して高画質化に対応することができる。
さらに、表面凹凸の周期（平均値）がトナーの体積平均粒径の１０倍以上となる感光体を用いるので、トナーの移動が阻害されることなく転写中抜けの発生を抑制することができる。また、像担持体として、有機感光体（導電性支持体／電荷発生層／電荷輸送層／必要により保護層を形成）を用いるため、高品質の画像が得られる。
さらにまた、中間転写体として中間転写ベルトを用いるため、転写ニップが広く、設計の自由度が高く小型化が可能であり、体積抵抗率（１０７〜１０１３Ωｃｍ）の調整により、電荷リークによる転写率の低下や残留電荷による画像不良の発生を抑制することができる。
さらにまた、本発明によれば、作業手段の保守、交換性が良好となり、トナー像を記録材に転写する際に中抜けを起こすことなく高画質の画像を出力することができる。
【発明を実施するための最良の形態】
【００１２】
本発明の、少なくとも、像担持体に静電潜像を形成する手段と、像担持体上にトナーを用いて画像を形成する現像手段と、像担持体上に形成されたトナー画像を中間転写体に転写する一次転写手段と、中間転写体上のトナー画像を記録材上に転写する二次転写手段とを備えた画像形成装置によれば、像担持体例えば感光体ドラム（感光体）に対するトナーの非静電的付着力Ｆｎｅ（Ｐ）と中間転写体に対するトナーの非静電的付着力Ｆｎｅ（Ｔ）の比Ｆｎｅ（Ｐ）／Ｆｎｅ（Ｔ）が１以下となるように構成したことにより、転写後にトナーが感光体側に残留することがなく、転写中抜けの発生が抑制され、画像不良が生じない高画質の画像を得ることができる。
【００１３】
また、本発明の、前記Ｆｎｅを、前記像担持体と同質の表面が形成された基板上に未帯電トナーを付着し、該基板のトナー付着面が受け基板と対面するようにスペーサを介して測定セルを構成し、次いでトナー付着面の垂直な方向に遠心力が作用するように該測定セルを遠心分離装置に装着して、回転数を上げながら各設定回転後に測定セルの受け基板を取り替え、全ての設定回転数について遠心分離をした後、前記各受け基板の一部の領域について付着した各トナーの粒径ｄを計測するとともに、計測した全トナーについて、下記式（１）により算出されたトナー脱離前後の回転数ｆ（ｒｐｍ）における遠心力（Ｆｃ）の値を算術平均した値の常用対数に関して算術平均値Ａを算出し、Ｆｎｅ＝１０ＡよりＦｎｅを求める方法により設定することを特徴とする画像形成装置によれば、
【数２】
2004302422.tif 000004
（但し、ρ：トナーの真比重（ｋｇ／ｍ３）、ｄ：トナーの粒径（ｍ）、ｒ：回転半径（ｍ）を表わす。）
トナーと像担持体及び中間転写体間の付着力を容易に測定することができ、Ｆｎｅ（Ｐ）／Ｆｎｅ（Ｔ）が１以下となるような構成を容易に設定することができる。
【００１４】
本発明の、「前記像担持体の表面に潤滑剤を塗布する手段を有することを特徴とする画像形成装置」によれば、像担持体の表面に潤滑剤を塗布することにより、トナーと像担持体間の摩擦力が小さくなり、転写中抜けの発生を抑制することができる。
【００１５】
本発明の、「前記潤滑剤中に、少なくとも１種類以上の一次粒子径の平均値がトナーの体積平均粒径の１／１０以下の微粒子が含まれていることを特徴とする画像形成装置」によれば、潤滑剤中に微粒子が含まれていることにより、像担持体上に微粒子が分散されてＦｎｅ（Ｐ）が小さくなり、Ｆｎｅ（Ｐ）／Ｆｎｅ（Ｔ）が１以下となるように構成することができ、転写中抜けの発生を抑制することができる。
【００１６】
本発明の、「前記中間転写体の表面に潤滑剤を塗布する手段を有することを特徴とする画像形成装置」によれば、中間転写体の表面に潤滑剤を塗布することにより、トナーと中間転写体間の摩擦力が小さくなり、二次転写における中抜けを抑制することができる。
【００１７】
さらに、前記中間転写体の線速を前記像担持体の線速と異なるように設定し、像担持体の線速に対する中間転写体と像担持体の線速差の比を１〜５％の範囲内に設定し、像担持体の線速に対する中間転写体と像担持体の線速差の比を５％以内に設定したことにより、線速差によって発生するせん断力によって転写中抜けの発生が抑制され、かつ画像長さの変動が抑えられるため画像品質の低下を抑制することができる。
【００１８】
また、前記記録材の線速を前記中間転写体の線速と異なるように設定し、中間転写体の線速に対する記録材と中間転写体の線速差の比を１〜５％の範囲内に設定すると、中間転写体の線速に対する記録材と中間転写体の線速差の比を５％以内に設定したことにより、線速差によって発生するせん断力によって２次転写における中抜けの発生が抑制され、かつ画像長さの変動が抑えられるため画像品質の低下を抑制することができる。
【００１９】
前記潤滑剤中の微粒子が球状の無機微粒子であると、潤滑剤中の微粒子として耐熱性の高い無機微粒子を用いることにより、潤滑剤の作製が容易となる。また、微粒子の形状が球形なので、像担持体が損傷しにくく、画像不良の発生を抑制することができる。
【００２０】
また、前記潤滑剤がステアリン酸亜鉛であると、潤滑剤としてステアリン酸亜鉛を用いることにより、画像形成に関して悪影響を及ぼさず、安定した画像を得ることができる。
【００２１】
また、用いられるトナーが、一次粒子径の平均値が３０ｎｍ〜３００ｎｍである微粒子を少なくとも１種類以上含む外添剤によって表面が被覆されたものであると、一次粒子径の平均値が３０ｎｍ〜３００ｎｍである微粒子を少なくとも１種類以上含む外添剤によってトナーの表面を被覆することによって、外添剤がトナーから分離せず、これによって外添剤がトナー中に埋没することなく高転写性を維持することができる。
【００２２】
また、前記用いられるトナーが、１粒子の表面積に対する外添剤の被覆面積比率の平均値が１５〜１００％となるように調整したものであると、外添剤の被覆面積比率の平均値が１５〜１００％となるように調整したトナーを用いることにより、トナーから外添剤が分離することなくトナー付着力を適切な範囲に調整することができるため、転写中抜けの発生を抑制することができる。
【００２３】
また、前記外添剤として、疎水化処理されたシリカ、酸化チタンあるいはアルミナのいずれかを少なくとも１種類以上含有するものを用いると、外添剤として、疎水化処理されたシリカ、酸化チタン、アルミナのいずれかを少なくとも１種類以上の含有するトナーを用いることにより、環境安全性も良好で、優れた転写特性が得られる。
【００２４】
また、前記用いられるトナーが、製造工程あるいは熱や機械的力による製造後の工程において球形化されたものであると、製造工程あるいは製造後の工程において球形化したトナーを用いるため、トナーが移動しやすく凝集性が低いため、転写中抜けの発生を抑制することができる。
【００２５】
また、前記製造工程が重合法であると、球形トナーを作製するため、トナー形状及び粒径制御が容易であり、またトナー生産性も向上させることができる。
【００２６】
また、前記球形化されたトナーの平均円形度が、０．９５〜１．０であると、平均円形度が０．９５〜１．０となる球形トナーを用いるので、トナー形状の均一性が高く、高画質の画像を形成することができる。
【００２７】
また、前記用いられるトナーの体積平均粒径Ｄが、３〜９μｍの範囲であると、トナーの体積平均粒径が３〜９μｍとなるように調整されているので、微紛トナーによる画像不良の発生を防ぐと共に、高画質化に対応することができる。
【００２８】
また、前記像担持体における表面凹凸の周期の平均値が、トナーの体積平均粒径の１０倍以上であると、表面凹凸の周期の平均値がトナーの体積平均粒径の１０倍以上となる感光体を用いるので、感光体上でのトナーの移動が阻害されることなく容易であり、転写中抜けの発生を抑制することができる。
【００２９】
また、前記像担持体の感光体が、導電性支持体上に少なくとも有機材料からなる電荷発生層と電荷輸送層とが順次形成され、必要により更に保護層が形成された構成からなる有機感光体であると、像担持体として、導電性支持体上に少なくとも有機材料の電荷発生層、電荷輸送層が形成され、あるいはさらに保護層が形成された有機感光体を用いるため、高画質の画像形成装置を提供することができる。
【００３０】
また前記中間転写体として中間転写ベルトを用い、該中間転写ベルトの体積抵抗率が１０７〜１０１３Ωｃｍとなるように調整したものであると、中間転写体として中間転写ベルトを用いるため、転写ニップが広く、設計の自由度が高く小型化が可能であり、さらに中間転写ベルトの体積抵抗率が１０７〜１０１３Ωｃｍとなるように調整することにより、電荷リークによる転写率の低下及び残留電荷による画像不良の発生を抑制することができる。
【００３１】
また、少なくとも、像担持体に静電潜像を形成する手段と、像担持体上にトナーを用いて画像を形成する現像手段と、像担持体上に形成されたトナー画像を中間転写体に転写する一次転写手段と、中間転写体上のトナー画像を記録材上に転写する二次転写手段とを備えた画像形成装置に用いられるトナーであって、該トナーは平均円形度が０．９５〜１．０で、体積平均粒径が３〜９μｍとなるように球形化され、かつ一次粒子径が３０〜３００ｎｍの微粒子を含む外添剤によってその表面が被覆されたトナー、あるいは該トナーとキャリアを混合したことを特徴とする二成分現像剤を用いれば、外添剤がトナー中に埋没せず、またトナーの付着力が制御され、転写による中抜けの発生を抑制し、画像不良の発生を防ぐとともに高画質の画像形成に対応することができる。
【００３２】
また、少なくとも、像担持体に静電潜像を形成する手段と、像担持体上にトナーを用いて画像を形成する現像手段と、像担持体上に形成されたトナー画像を中間転写体に転写する一次転写手段と、中間転写体上のトナー画像を記録材上に転写する二次転写手段とを備えた画像形成装置における像担持体と、帯電手段、現像手段およびクリーニング手段から選ばれる少なくとも一つの手段とを一体に支持し画像形成装置に着脱自在であるプロセスカートリッジであって、前記トナーもしくは二成分現像剤を保持したものを用いれば、作業手段の保守、交換性を良好にし、かつトナー像を記録材に転写する際に中抜けがなく、高画質の画像を出力することができる。
【００３３】
以下、本発明の画像形成装置とその画像形成方法について、図面を参照して詳細に説明する。
本発明の画像形成装置は、像担持体上に静電潜像を形成する潜像形成手段、像担持体上の潜像上にトナーを用いて画像を形成する現像手段、像担持体上に形成されたトナー像を中間転写体に転写する一次転写手段、中間転写体に転写されたトナー像を記録材上に転写する二次転写手段、記録材上のトナー像を定着する定着手段、転写されずに像担持体上に残ったトナーを除去・回収するためのクリーニング手段を有する。
【００３４】
図１に本発明の画像形成装置の一例を示す概略構成図を示す。
図１において、静電潜像担持体である感光体ドラム（１１）の周囲には、該ドラム表面を帯電するための帯電装置（１２）、一様帯電処理面に潜像を形成するための露光装置（１３）、感光体ドラム（１１）表面の潜像に帯電トナーを付着することでトナー像を形成する４つの現像装置（１４）、形成された感光体ドラム（１１）上のトナー像を中間転写体である中間転写ベルト（２７）上へ転写し、中間転写ベルト（２７）上のトナー像を記録材（記録紙ともいう。２９）上に転写する転写装置（２５）、記録材（２９）上のトナーを定着する定着装置（３０）、感光体ドラム（１１）上に潤滑剤を塗布する潤滑剤塗布装置（１５）、感光体ドラム（１１）上の残留トナーを除去・回収するためのクリーニング装置（１６）、感光体ドラム（１１）上の残留電位を除去するための除電装置（１７）が順に配設されている。
【００３５】
まず、感光ドラム（１１）は帯電装置（１２）（帯電ローラ）によって表面を一様に帯電される。図１の例では、帯電ローラ（１２）を用いて感光ドラム（１１）を帯電しているが、コロトロンやスコロトロン等のコロナ帯電を用いてもよい。帯電ローラを用いた帯電は、コロナ帯電を用いた場合よりもオゾン発量が少ない利点がある。帯電した感光体ドラム（１１）に画像情報に応じて露光装置（１３）からレーザー光線が照射され、静電潜像が形成される。感光体ドラム（１１）上の帯電電位や露光部位を電位センサで検出し、帯電条件や露光条件を制御することもできる。
【００３６】
次に、現像装置（１４）によって、静電潜像が形成された感光体ドラム（１１）上にトナー像が形成される。現像装置（１４）は、黒（Ｂ）、シアン（Ｃ）、マゼンタ（Ｍ）、イエロー（Ｙ）の各トナーに対応した４つの現像装置（１４Ｂ）、（１４Ｃ）、（１４Ｍ）、（１４Ｙ）からなり、各現像装置によって感光体ドラム（１１）上に形成されたトナー像は、中間転写ベルト（２７）上に順次重ね合わされる。
【００３７】
現像装置（１４）が、トナーとキャリアから成る二成分現像剤を用いた二成分現像装置である場合の構成例を図２に示す。
この例では、二成分現像剤がスクリュー（４１）によって攪拌・搬送され、現像スリーブ（４２）に供給される。現像スリーブ（４２）に供給される現像剤はドクターブレード（４３）によって規制され、供給される現像剤量はドクターブレード（４３）と現像スリーブ（４２）との間隔であるドクターギャップによって制御される。ドクターギャップが小さすぎると、現像剤量が少なすぎて画像濃度不足になり、逆にドクターギャップが大きすぎると、現像剤量が過剰に供給されて感光体ドラム（１１）上にキャリア付着が発生するという問題が生じる。
【００３８】
現像スリーブ（４２）には、周表面に現像剤を穂立ちさせるように磁界を形成する磁石が備えられており、この磁石から発せられる法線方向磁力線に沿うように、二成分現像剤が現像スリーブ（４２）上にチェーン状に穂立ちされて磁気ブラシが形成される。現像スリーブ（４２）と感光体ドラム（１１）は、一定の間隙（現像ギャップ）を挟んで近接するように配置されていて、双方の対向部分に現像領域が形成されている。現像スリーブ（４２）は、アルミニウム、真鍮、ステンレス、導電性樹脂などの非磁性体を円筒形に形成しており、不図示の回転駆動機構によって回転されるようになっている。磁気ブラシは、現像スリーブ（４２）の回転によって現像領域に移送される。
【００３９】
現像スリーブ（４２）には不図示の現像用電源から現像電圧が印加され、磁気ブラシ上のトナーが現像スリーブ（４２）と感光体ドラム（１１）との間に形成された現像電界によってキャリアから分離し、感光体ドラム（１１）上の静電潜像上に現像される。なお、現像電圧には交流を重畳させてもよい。また、現像ギャップは、現像剤粒径の５〜３０倍程度、現像剤粒径が５０μｍであれば０．５ｍｍ〜１．５ｍｍ程度に設定することが可能である。これより広くすると、望ましいとされる画像濃度がでにくくなる。また、ドクターギャップは、現像ギャップと同程度かやや大きくする必要がある。
【００４０】
感光体ドラム（１１）のドラム径やその線速、および現像スリーブ（４２）のスリーブ径やその線速は、複写速度や装置の大きさ等の制約によって決まる。ドラム線速に対するスリーブ線速の比は、必要な画像濃度を得るために１．１以上にする必要がある。なお、現像後の位置にセンサを設置し、光学的反射率からトナー付着量を検出してプロセス条件を制御することもできる。
【００４１】
前記磁気ブラシを構成するキャリアとしては、鉄紛、フェライト紛、磁性粒子を分散した樹脂粒子等の磁性を有する粉体、及び電気特性を制御するために樹脂などで表面を被覆した磁性粉体が好ましく使用される。
磁気ブラシを構成するキャリアとしては、感光体ドラム（１１）表面へのダメージを軽減するために球形の粒子を用いるのが好ましく、その平均粒径は１５０μｍ以下のものが好ましい。キャリアの平均粒径が大きすぎると、最密状態に配置してあっても曲率半径が大きいため、感光体ドラム（１１）と接触しない面積が増えてトナー像の欠けや、抜けが発生する。逆に平均粒径があまり小さすぎると、交流電圧を印加する場合には、粒子が動きやすくなって粒子間の磁力を上回り、粒子が飛散してキャリア付着の原因となってしまう。キャリアの平均粒径は、特に３０μｍ以上、１００μｍ以下であることが好ましい。さらに、キャリアの体積抵抗率が低すぎると、現像電圧の印加時にキャリアに電荷が注入され、感光体ドラム（１１）へのキャリア付着を起こしたり、感光体の絶縁破壊を起こしたりするため、体積抵抗率が１０３Ωｃｍ以上のキャリアを使用する必要がある。
【００４２】
また、図１の例では４つの現像装置が感光体ドラム（１１）を囲むように設置されているが、本発明はこの構成には限定されず、４つの現像装置が回転等の動きによって交互に感光体ドラム（１１）に接するように構成してもよい。
また、図２の例では現像装置として二成分現像装置を用いているが、本発明は二成分現像装置に限定されるものではなく、現像スリーブ上に形成したトナー薄層を電界で感光体上に現像する一成分現像装置を用いてもよい。
【００４３】
前記感光体ドラム（１１）上に形成されたトナー像は、感光体ドラム（１１）と中間転写ベルト（２７）が接触する転写ニップに搬送される。中間転写ベルト（２７）に接触するローラ（２６ｂ）に不図示の転写用電源によってトナーと逆極性の転写電圧が印加され、中間転写ベルト（２７）と感光ドラム（１１）間に作用する転写電界によって感光体ドラム（１１）上に形成されたトナー像が中間転写ベルト（２７）上へ転写される。
フルカラー画像を形成する場合、１色目のトナー像が中間転写ベルト（２７）上へ転写されると、感光体ドラム（１１）上に残留したトナーはクリーニング装置（１６）によって除去され、除電装置（１７）によって感光体ドラム（１１）上の残留電位が除去され、次に感光体ドラム（１１）上に２色目のトナー像が作像され、１色目のトナー像が形成されている中間転写ベルト（２７）上へ２色目のトナー像が転写され、同様の手順で４色のトナー像が順次中間転写ベルト（２７）上へ転写される。
なお、中間転写ベルト（２７）は、感光体ドラム（１１）と接離可能で、トナー像の転写が実施されていないときは感光体ドラム（１１）から隔離している。
【００４４】
次に、不図示の給紙トレイから搬送された記録材（２９）が転写ニップに進入し、中間転写ベルト（２７）上に形成されたトナー像が、ローラ（２６ｂ）に印加される転写電圧によって記録材（２９）上に一括して転写される。
感光体ドラム（１１）から中間転写ベルト（２７）への転写を一次転写、中間転写ベルト（２７）から記録材（２９）への転写を二次転写とする。
二次転写後に中間転写ベルト（２７）上に残留したトナーは、中間転写ベルト（２７）用のクリーニング装置（２８）によって中間転写ベルト（２７）上から除去される。
なお、クリーニング装置（２８）は中間転写ベルト（２７）と接離可能で、トナー像の転写が実施されている時は中間転写ベルト（２７）から隔離している。
【００４５】
中間転写ベルト（２７）は、高分子フィルムや合成ゴム等にカーボンブラック等の導電性フィラーを添加したものが用いられ、体積抵抗率が１０７〜１０１３Ωｃｍに調整される。
図１の例において、中間転写部材として用いた転写ベルトの代りに転写ローラを用いてもよいが、転写ベルトは転写ローラに比べて転写ニップを広くとれる利点がある。
【００４６】
未定着のトナー像が載った記録材（２９）には、定着ローラ（３１）と加圧ローラ（３２）によって一定の熱と圧力が加えられ、トナーが記録材（２９）上に定着される。
なお、定着温度を一定に保つために、定着ローラ（３１）には不図示のサーミスタを接触させて、定着ローラ（３１）の温度制御を行なせることもできる。
定着ローラを用いた定着方式は、熱効率が高く、安全性に優れ、小型化が可能で、低速から高速まで適用範囲が広い。
【００４７】
前記のように感光体ドラム（１１）上及び中間転写ベルト（２７）上に残留したトナーは、クリーニング装置（１６）及び（２８）によって除去されるが、このようなクリーニング装置としては、クリーニングブレード、クリーニングローラ及びクリーニングブラシ等を用いることができ、またそれらを併用してもよい。さらに、これらのクリーニング部材にトナーと逆極性の電圧を印加して、クリーニングの効率を高めることもできる。
【００４８】
また、本発明の画像形成装置では、感光体ドラム（１１）表面に潤滑剤を塗布するために潤滑剤塗布装置（１５）が設置される。
図１に示した潤滑剤塗布装置（１５）は、固形の潤滑剤（１９）を回転ブラシ（１８）で削り取り、感光体ドラム（１１）表面に塗布するように構成されている。感光体ドラム（１１）表面に塗布された潤滑剤（１９）は、クリーニングブレード（１６）によって平滑化される。
該回転ブラシ（１８）は、潤滑剤（１９）を塗布する機能と共に、感光体ドラム（１１）上の転写残トナーをクリーニングする機能も有しており、特にブレードによるクリーニングが困難な球形トナーのクリーニングに有効である。
潤滑剤（１９）の塗布方法としては、回転ブラシ（１８）の代わりにローラを用いる方法や、固形の潤滑剤（１９）を直接感光体ドラム（１１）に押し付ける方法もある。
また、潤滑剤塗布装置（１５）は、単独での設置も可能であるが、帯電装置など別の装置内へ組み込んでもよい。
さらに、本発明の画像形成装置では、中間転写ベルト（２７）表面に潤滑剤を塗布するために潤滑剤塗布装置（２０）が設置される。図１に示した潤滑剤塗布装置（２０）は、固形の潤滑剤（２２）を回転ブラシ（２１）で削り取り、中間転写ベルト（２７）表面に塗布するように構成されている。
【００４９】
また、図１に示す例は一つの感光体ドラムと複数の現像装置を用いたカラー画像形成装置であるが、本発明はこの構成には限定されず、複数の感光体ドラムと現像装置を用いたカラー画像形成装置、一つの感光体ドラムと一つの現像装置を用いた白黒画像形成装置にも適用できる。
本発明は、上記のような画像形成装置の例において、転写時の中抜けがなく、良好な画像品質が得られることを特徴としており、このためには図１に示したような画像形成装置における画像形成に際して最適な条件を設定することが好ましい。
【００５０】
すなわち、図１の画像形成装置によれば、感光体ドラム（１１）（感光体）上に形成された現像トナー層は、感光体と中間転写ベルト間の圧力によって圧縮され、トナー層の内部応力が増大する。同様に、中間転写ベルト（２７）上の転写トナー層は、中間転写ベルトと記録材間の圧力によって圧縮される。
高圧力でトナー層内部応力が高いと、トナー間の付着力が大きくなってトナーが凝集される。トナー間付着力が大きいと、転写電界によるクーロン力でトナー粒子の転写を制御できなくなるため、凝集したトナー層の一部領域が転写できなくなると考えられる。画像の細線部は圧力が高くなりやすく、特に細線の中心部では周辺部に比べてトナーが移動しにくいので応力が高くなりやすいため、細線の中心部が転写されない「中抜け現象」が発生する。
上記のように、中抜けはトナーの凝集に起因しているため、中抜けを低減するにはトナーの凝集を抑制するか、あるいは凝集したトナーを分離する必要がある。
感光体と中間転写体間または中間転写体と記録材間に線速差を設けてトナー層にせん断力を与える方法は、凝集したトナーを機械的な力で分離するため、中抜けの低減には有効である。しかし、トナー層に充分なせん断力を与えるには速度差を大きくする必要があるが、速度差が大きいと速度差のばらつきによる画像長さの変動が大きく、画像品質が低下しやすいという問題がある。
【００５１】
本発明者は、像担持体である感光体ドラムあるいは感光体（１１）の速度と中間転写ベルトあるいは中間転写体（２７）の速度とを制御し、様々な速度差で１次転写における画像評価を実施した結果、画像品質が低下しない速度差は、感光体線速に対して５％以内であること、及び、感光体線速に対する速度差が１％未満では、中抜け改善効果が得られないことを確認した。
同様にして、中間転写ベルト（２７）の速度と記録材の速度とを制御し、様々な速度差で２次転写における画像評価を実施した結果、画像品質が低下しない速度差は、中間転写ベルト線速に対して５％以内であること、及び、中間転写ベルト線速に対する速度差が１％未満では、中抜け改善効果が得られないことを確認した。
本発明者は、上記のような速度差においても中抜けの発生を抑制する手段について検討した。
【００５２】
感光体と中間転写体間に速度差がある場合、図３に示す概念図のように、感光体上に接するトナー層には、感光体面に垂直な方向に付着力Ｆａ（Ｐ）が作用し、水平な方向に摩擦力Ｆｆ（Ｐ）が作用し、中間転写体に接するトナーには付着力Ｆａ（Ｔ）と摩擦力Ｆｆ（Ｔ）が作用する。
この場合、Ｆａ（Ｐ）がＦａ（Ｔ）よりも大きいと、トナー層が転写ニップ領域を通過して感光体と中間転写体が分離する際に、転写圧力によって凝集したトナー層の一部の領域が転写体側に付着せず、感光体側に残留しやすい。
また、Ｆｆ（Ｐ）がＦｆ（Ｔ）よりも大きいと、中間転写体に接したトナーが感光体に接したトナーよりも動きやすいため、転写圧力によって凝集したトナー層の一部の領域は感光体に付着した状態で移動し、転写後に感光体側に残留しやすい。
このため、Ｆａ（Ｐ）がＦａ（Ｔ）よりも小さく、Ｆｆ（Ｐ）がＦｆ（Ｔ）よりも小さい方が、中抜けが発生しにくい。中間転写体と記録材間に速度差がある場合も、同様に、Ｆａ（Ｔ）がトナーと記録材間の付着力Ｆａ（Ｒ）よりも小さく、Ｆｆ（Ｔ）がトナーと記録材間の摩擦力Ｆｆ（Ｒ）よりも小さい方が、中抜けが発生しにくい。
【００５３】
転写圧力が高くなると、トナー間の付着力と同時にＦａ（Ｐ）及びＦａ（Ｔ）が増大するが、特にファンデルワールス力等のトナーの帯電に依存しない非静電的付着力Ｆｎｅが大幅に増大する。Ｆｎｅは転写圧力によるトナー等の変形による接触面積の増加によって増大するが、未変形時のＦｎｅが大きいほど変形後のＦｎｅが大きくなる。このため、転写圧力印加状態のＦａ（Ｐ）がＦａ（Ｔ）よりも小さくなるには、圧力が印加されていない状態でのトナーと感光体間の非静電的付着力Ｆｎｅ（Ｐ）がトナーと中間転写体間の非静電的付着力Ｆｎｅ（Ｔ）よりも小さい、つまりＦｎｅ（Ｐ）／Ｆｎｅ（Ｔ）が１以下となる必要がある。
【００５４】
以下に、トナーと感光体間及び中間転写体間の非静電的付着力測定方法として用いた遠心分離法について説明する。遠心分離法は、トナー付着面に対して垂直な方向に遠心力を作用して、トナーを付着面から分離、すなわち脱離することによりトナーと付着面間の付着力を測定するものである。
図４、図５は、それぞれ本発明に係るトナー付着力測定装置の測定セル、遠心分離装置の一例を示す図である。図４は、トナー付着力測定装置の測定セルの概略斜視図である。図４において、（６１）は測定セルであり、測定セル（６１）は、トナーを付着させるための試料面（６２ａ）を有する試料基板（６２）と、試料基板（６２）から分離（脱離）したトナーを付着させる付着面（６３ａ）を有する受け基板（６３）と、試料基板（６２）の試料面（６２ａ）と受け基板（６３）の付着面（６３ａ）の間に設けられるスペーサ（６４）から構成される。
【００５５】
図５は、図示しない駆動機構により回転動作する遠心分離装置の要部断面を示す側面図である。図５において、（７５）は遠心分離装置であり、遠心分離装置（７５）は、測定セル（６１）を回転させるロータ（７６）と、保持部材（７７）を備えている。ロータ（７６）は、自身の回転中心軸（７９）に対して垂直な断面において空洞部を有する形状であり、保持部材（７７）を設置する試料設置部（７８）を有している。保持部材（７７）は、棒状部（７７ａ）と、棒状部（７７ａ）に設けられ測定セル（６１）を保持するセル保持部（７７ｂ）、測定セル（６１）をセル保持部（７７ｂ）から押し出すための穴部（７７ｃ）、棒状部（７７ａ）を試料設置部（７８）に固定する設置固定部（７７ｄ）を備えている。セル保持部（７７ｂ）は、測定セル（６１）を設置したときに、測定セル（６１）の垂直方向がロータの回転中心軸（７９）に垂直となるように構成される。
【００５６】
上記の遠心分離装置を用いてトナーと感光体間の付着力を測定する方法を説明する。
まず、試料基板（６２）上に直接感光体を形成するか、または感光体の一部を切り出して試料基板（６２）上に接着剤で貼り付ける。次に、トナーを試料基板（６２）上に形成した感光体（試料面（６２ａ）上に付着させる。次に、図５に示すように、試料基板（６２）、受け基板（６３）及びスペーサ（６４）を用いて測定セル（６１）を構成する。測定セル（６１）を、保持部材（７７）をロータ（７６）の試料設置部（７８）に設置したときに、試料基板（６２）が受け基板（６３）とロータ（７６）の回転中心軸（７９）との間に位置するように、保持部材（７７）のセル保持部（７７ｂ）に設置する。保持部材（７７）を、測定セル（６１）の垂直方向がロータの回転中心軸（７９）に垂直となるように、ロータ（７６）の試料設置部（７８）に設置する。遠心分離装置（７５）を稼働してロータ（７６）を一定の回転数で回転させる。試料基板（６２）に付着したトナーは回転数に応じた遠心力を受け、トナーの受ける遠心力がトナーと試料面（６２ａ）間の付着力よりも大きい場合には、トナーが試料面（６２ａ）から分離（脱離）して付着面（６３ａ）に付着する。トナーの受ける遠心力Ｆｃは下記式（２）から求められる。
【００５７】
【数３】
2004302422.tif 000005
トナーの重量ｍは、トナーの真比重ρ、トナー粒子の円相当径ｄを用いて、下記式（３）より求められる。
【００５８】
【数４】
2004302422.tif 000006
上記式（２）および式（３）から、トナーの受ける遠心力Ｆｃは、下記式（４）により求められる。
【００５９】
【数５】
2004302422.tif 000007
（但し、ρ：トナーの真比重（ｋｇ／ｍ３）、ｄ：トナーの粒径（ｍ）、ｒ：ロータの中心軸からトナー付着位置までの距離（回転半径）（ｍ）、ｆ：ロータの回転数（ｒｐｍ）を表わす。）
【００６０】
遠心分離終了後、保持部材（７７）をロータ（７６）の試料設置部（７８）から取り出し、保持部材（７７）のセル保持部（７７ｂ）から測定セル（６１）を取り出す。受け基板（６３）を交換し、測定セル（６１）を保持部材（７７）に設置し、保持部材（７７）をロータ（７６）に設置し、ロータ（７６）を前回よりも高回転数で回転させる。トナーの受ける遠心力が前回よりも大きくなり、付着力の大きなトナーが試料面（６２ａ）から分離して付着面（６３ａ）に付着する。このような手順で遠心分離装置の設定回転数を低回転数から高回転数へ変えて順次同様の操作を実施することにより、各回転数で受ける遠心力と付着力の大小関係に応じて、試料面（６２ａ）上のトナーが付着面（６３ａ）に移動する。
【００６１】
全ての設定回転数について遠心分離を実施後、各回転数の受け基板（６３）の付着面（６３ａ）に付着したトナーの粒径を計測する。トナー粒径の測定は、光学顕微鏡で付着面（６３ａ）上のトナーを観察し、ＣＣＤカメラを通して付着面の画像を画像処理装置に入力し、画像処理装置を用いて各トナーの粒径測定を行なうことができる。ある設定回転数で分離したトナーの付着力は、トナーが分離した回転数における遠心力よりも小さく、分離する前の回転数における遠心力よりも大きいので、前記式（４）により両者の遠心力を計算し、その平均値を付着力とする。測定したトナー粒子全体の平均値Ｆは、各トナーの付着力の常用対数について算術平均値Ａを算出し、Ｆ＝１０Ａから求めた。本発明では、トナーと付着面間の非静電的付着力の平均値として、未帯電のトナーと付着面間の付着力の平均値Ｆｎｅを用いた。
【００６２】
トナーと感光体（感光体ドラム（１１））間の非静電的付着力Ｆｎｅ（Ｐ）がトナーと中間転写体（中間転写ベルト（２７））間の非静電的付着力Ｆｎｅ（Ｔ）以下となるようにするため、Ｆｎｅ（Ｔ）を大きくすると二次転写の際にトナーが中間転写体上に残り易く、中間転写体上の転写残トナーのクリーニング不良等による画像不良が発生しやすくなる。このため、Ｆｎｅ（Ｐ）をより小さくする必要がある。
【００６３】
Ｆｎｅ（Ｐ）やＦｎｅ（Ｔ）を構成しているファンデルワールス力、液架橋力、分子間力等の力は、トナーが接触している領域の幾何学的な構造に依存している。Ｆｎｅ（Ｐ）をＦｎｅ（Ｔ）より小さくするには、トナーと感光体間の接触面積をトナーと中間転写体間の接触面積よりも小さくする必要があり、感光体表面にトナーよりも小さな凹凸を設ける等の対策が考えられる。感光体表面に微小な凹凸を設ける方法としては、感光体表面層内に微粒子を混入するか、画像形成装置内で感光体表面に微粒子を塗布する等の方法が考えられる。この微粒子としては、平均粒径がトナーの体積平均粒径の１／１０以下の粒子を用いる必要がある。微粒子の平均粒径がトナーの体積平均粒径の１／１０以上では、微粒子が感光体上でのトナーの移動を妨げるため、感光体上にトナーが残留し易くなるためである。
【００６４】
一方、Ｆｆ（Ｐ）をＦｆ（Ｔ）よりも小さくするには、感光体の表面に潤滑層を設ける等の対策が考えられる。感光体表面に潤滑層を設ける場合、感光体中に潤滑剤を混入する方法もあるが、この方法では感光体の光学特性あるいは電気特性が損なわれる可能性がある。
本発明では、感光体表面に潤滑層を設ける場合、画像形成装置内で感光体表面に潤滑剤を塗布することが好ましい。画像形成装置内で潤滑剤を塗布する場合、感光体表面層に微粒子が混入されている、または感光体表面に微粒子が塗布された状態で潤滑剤を塗布すると、微粒子によって形成された感光体表面の凹凸が潤滑剤で被覆されてしまうので、Ｆａ（Ｐ）を小さくする効果が低減してしまう。    このため、感光体表面に潤滑剤を塗布した後にする微粒子を塗布するか、内部に微粒子を混入させた潤滑剤を塗布する必要がある。潤滑剤と微粒子を別々に塗布すると、塗布装置が二つ必要になりコストがかかるが、内部に微粒子を混入させた潤滑剤を塗布する場合は塗布装置が一つですみ、潤滑剤と微粒子を別々に塗布する場合よりもコストがかからない。
従がって、本発明においては、内部に微粒子を混入させた潤滑剤を塗布することが好ましい。
【００６５】
また、Ｆａ（Ｔ）をＦａ（Ｒ）よりも小さく、かつＦｆ（Ｔ）をＦｆ（Ｒ）よりも小さくするには、同様にして、中間転写体上に微粒子を含有した潤滑材を塗布する手段が考えられるが、その場合はＦａ（Ｐ）とＦａ（Ｔ）、Ｆｆ（Ｐ）とＦｆ（Ｔ）の差が小さくなってしまうため、一次転写における中抜けの抑制効果が小さくなる。
【００６６】
これに対して、中間転写体上に微粒子を含有しない潤滑材を塗布すると、Ｆａ（Ｐ）がＦａ（Ｔ）よりも小さくなるため、一次転写における中抜けが抑制される。また、この場合には、Ｆａ（Ｔ）とＦａ（Ｒ）の差は小さいが、Ｆｆ（Ｔ）がＦｆ（Ｒ）よりも小さくなるので、二次転写における中抜けも抑制できる。
以上の検討結果により、感光体又は感光体と中間転写体上の表面に潤滑剤を塗布する手段を有し、感光体上に微粒子を含有する潤滑剤を塗布することにより、一次転写及び二次転写における中抜けを抑制できることがわかった。
【００６７】
上記潤滑剤に用いる材料としては、ステアリン酸亜鉛、ステアリン酸バリウム、ステアリン酸鉄、ステアリン酸ニッケル、ステアリン酸マグネシウムなどの脂肪酸金属やポリテトラフルオロエチレン（ＰＴＦＥ）やＰＦＡなどのフッ素系ポリマーなどが挙げられる。
本発明の画像形成装置に用いる潤滑剤としては、成形加工が容易で、かつ画像形成に関して悪影響を及ぼさず、安定した画像が得られるため、ステアリン酸亜鉛が好ましく用いられる。
また、上記の微粒子としては、公知の有機微粒子及び無機微粒子を使用することができ、単独または二種類以上の微粒子を同時に使用することもできる。本発明に用いる潤滑剤は、微粒子を混合・撹拌して成形加工するため、耐熱性のある微粒子を用いることが好ましく、特に、無機微粒子が好ましく用いられる。
さらに、微粒子の形状は球形が好ましく用いられる。これは、感光体上に塗布された微粒子は、画像形成装置内での様々なストレスによって感光体表面を損傷し易いが、微粒子の形状が球形だと損傷しにくいためである。
【００６８】
前記のように、中抜けの発生は、転写圧力によってトナー間付着力が大きくなり、凝集したトナー層の一部領域が転写できなくなるためにと考えられるので、トナー間付着力の小さなトナーほど中抜けが発生しにくい。
トナー間付着力は、トナー同士の接触面積に依存しており、微粒子（外添剤）でトナー母粒子（外添剤を添加していないトナー粒子）の表面を被覆すると、接触面積が小さくなるのでトナー間付着力が小さくなる。このため、本発明では、外添剤で被覆されたトナーが好ましく用いられる。
【００６９】
一次粒子径の平均値が３０ｎｍよりも小粒径の外添剤は、トナーの流動性を向上するのに有効であるが、キャリアとの混合撹拌等の画像形成装置内の様々なストレスによってトナー中に埋没しやすいという問題がある。外添剤が埋没してしまうと、トナー表面の曲率半径が大きくなり、非静電的付着力が増大して中抜けが発生しやすくなる。
したがって、小粒径の外添剤の埋没を低減するには、一次粒子径の平均値が３０ｎｍ以上の大粒径の外添剤を添加する必要がある。ただし、外添剤の一次粒子径の平均値が３００ｎｍを超えると、外添剤がトナーから分離しやすくなり、分離した外添剤によって感光体等の画像形成装置の構成部材が損傷しやすい。
このため、本発明においては、一次粒子径の平均値が３０ｎｍ〜３００ｎｍ、好ましくは、８０ｎｍ〜２００ｎｍの外添剤を用いることが好適である。
なお、一次粒子径の平均値が３０ｎｍ〜３００ｎｍの外添剤は、一次粒子径の平均値が３０ｎｍ以下の外添剤と一緒に用いてもよく、単独で使用してもよい。
【００７０】
凝集度の測定結果から、トナー間付着力は外添剤被覆率（トナー母粒子の表面積に占める外添剤の面積）に依存し、外添剤被覆率の増加と共に小さくなり飽和する傾向にあることがわかった。
様々な外添剤で被覆したトナーを用いて中抜けの発生状態を調べた結果、外添剤被覆率の適切な範囲は、外添剤の材質や粒径等によって異なるが、外添剤被覆率を少なくとも１５％〜１００％に調整する必要がある。
外添剤被覆率が１５％未満では中抜けが発生しやすい。また、外添剤被覆率が１００％を超えると、外添剤がトナーから分離しやすくなり、感光体等の画像形成装置の構成部材が損傷しやすい。
なお、外添剤被覆率はトナーの電子顕微鏡写真を画像解析することによって計測することができる。
【００７１】
本発明におけるトナーに用いられる外添剤としては、公知の有機微粒子及び無機微粒子を使用することができるが、無機微粒子、特にシリカ、酸化チタン、アルミナのいずれかを少なくとも１種類以上使用することが好適である。
これらの外添剤用微粒子の場合は、環境安定性を考慮すると、疎水化処理を施したものが好適に用いられる。
該疎水化処理は、疎水化処理剤と前記微粉末とを高温度下で反応させて行なうことができる。疎水化処理剤としては特に制限はなく、例えばシラン系カップリング剤、シリコーンオイル等を用いることができる。
【００７２】
また、本発明に用いられる外添剤の外添方法は、Ｖ型ブレンダー、ヘンシェルミキサー、メカノフージョン等の各種混合装置を用いた公知の外添方法を用いることができる。
また、本発明に用いられるトナーの粒径は、体積平均粒径が３μｍ〜９μｍであるものが望ましい。トナーの体積平均粒径が３μｍ未満では、粒径１μｍ以下の微粉トナーの割合が大きくなってしまい画像不良を発生しやすく、一方体積平均粒径が９μｍを超えると電子写真画像の高画質化の要求に対応するのが困難である。
また、本発明者は、様々な形状のトナーについて中抜けの発生状況を検討した結果、トナー形状が球形に近いほど中抜けが発生しにくいことが分かった。
これは、トナー形状が球形に近いほど回転しやすいため、転写圧力及び線速差によるせん断力が作用した時のトナー層内及び付着面上での移動が容易で、付着面から分離（脱離）しやすく、中抜けが発生しにくいと考えられる。
【００７３】
特に、本発明に用いられるトナーは、平均円形度の値が０．９５以上のものが好ましい。円形度は下記式（５）で求められる値で、１に近いほど球形な粒子であることを示している。
【００７４】
【数６】
2004302422.tif 000008
平均円形度は、各トナー粒子の円形度を平均した値である。
トナーの円形度は、市販の画像解析装置を用いて光学顕微鏡または電子顕微鏡で観察したトナー画像を解析する方法や、例えばフロー式粒子像分析装置ＦＨＩＡ−１０００（東亜医用電子社製）によって測定することができる。
【００７５】
本発明に用いられるトナーとしては、製造工程あるいは製造後の工程において球形化したトナーが好適に用いられる。
製造後の工程において球形化したトナーとは、例えばトナーの構成材料である樹脂や着色剤などを混合攪拌後に溶融混練し、粉砕・分級して作製した粉砕トナーを熱や機械的な力で球形化したトナーであり、製造工程において球形化したトナーとは、例えば分散重合法、懸濁重合法、乳化重合法等の重合法により作製されたトナーである。
特に、重合法による製造は、トナーの形状及び粒径制御の容易性、生産性等の点で優れており、本発明に用いられるトナーの製造方法として好適である。
【００７６】
以下に本発明におけるトナーの製造方法として好適な各種重合法について説明する。
まず、分散重合トナーから説明する。
本発明におけるトナーを形成する樹脂粒子（種粒子）は親水性有機液体に、その親水性有機液体に溶解する高分子分散剤を加え、これに前記親水性液体には溶解するが、生成する重合体は前記親水性液体にて膨潤されるか、あるいは殆ど溶解しない一種または二種以上のビニル単量体を加えて重合することによって製造される。
【００７７】
上記種粒子の形成時及び種粒子の成長反応時に用いる単量体を希釈するための親水性有機液体（希釈剤）としては、例えば、メチルアルコール、エチルアルコール、変性エチルアルコール、イソプロピルアルコール、ｎ−ブチルアルコール、イソブチルアルコール、ｔ−ブチルアルコール、ｓ−ブチルアルコール、ｔ−アミルアルコール、３−ペンタノール、オクチルアルコール、ベンジルアルコール、シクロヘキサノール、フルフリルアルコール、テトラヒドロフルフリルアルコール、エチレングリコール、グリセリン、ジエチレングリコールなどのアルコール類や、メチルセロソルブ、セロソルブ、イソプロピルセロソルブ、ブチルセロソルブ、エチレングリコールモノメチルエーテル、エチレングリコールモノエチルエーテル、ジエチレングリコールモノメチルエーテル、ジエチレングリコールモノエチルエーテルなどのエーテルアルコール類などが代表的なものとして挙げられる。
【００７８】
これらの親水性有機液体（有機液体）は単独で、もしくは二種以上の混合物として用いることができる。
なお、アルコール類及びエーテルアルコール類以外の有機液体と、上述のアルコール類及びエーテルアルコール類とを併用して、有機液体が生成重合体粒子に対して溶解性を持たせない条件下で、有機液体のＳＰ値（溶解性パラメーター）を種々変化させて重合を行なうことによって、生成される粒子の大きさ、種粒子同士の凝集及び新粒子の発生を抑制することが可能である。
【００７９】
この場合の併用する有機液体としては、例えば、ヘキサン、オクタン、石油エーテル、シクロヘキサン、ベンゼン、トルエン、キシレンなどの炭化水素類、四塩化炭素、トリクロルエチレン、テトラブロムエタンなどのハロゲン化炭化水素類、エチルエーテル、ジメチルグリコール、シリオキサン、テトラヒドロフランなどのエーテル類、メチラール、ジエチルアセタールなどのアセタール類、アセトン、メチルエチルケトン、メチルイソブチルケトン、シクロヘキサンなどのケトン類、ギ酸ブチル、酢酸ブチル、プロピオン酸エチル、セロソルブアセテートなどのエステル類、ギ酸、酢酸、プロピオン酸などの酸類、ニトロプロペン、ニトロベンゼン、ジメチルアミン、モノエタノールアミン、ピリジン、ジメチルスルホキシド、ジメチルホルムアミドなどの硫黄、窒素含有有機化合物類、およびその他水も含まれる。
また、重合開始時、重合途中、重合末期とそれぞれ混合溶媒の種類及び組成を変化させ、生成する重合体粒子の平均粒径、粒径分布、乾燥条件などを調整することができる。
【００８０】
前記種粒子の製造時あるいは成長粒子の製造時に使用される高分子分散剤の適当な例としては、例えば、アクリル酸、メタクリル酸、α−シアノアクリル酸、α−シアノメタクリル酸、イタコン酸、クロトン酸、フマール酸、マレイン酸または無水マレイン酸などの酸類、あるいは水酸基を含有するアクリル系単量体、例えばアクリル酸β−ヒドロキシエチル、メタクリル酸β−ヒドロキシエチル、アクリル酸β−ヒドロキシプロピル、メタクリル酸β−ヒドロキシプロピル、アクリル酸γ−ヒドロキシプロピル、メタクリル酸γ−ヒドロキシプロピル、アクリル酸３−クロロ−２−ヒドロキシプロピル、メタクリル酸３−クロロ−２−ヒドロキシプロピル、ジエチレングリコールモノアクリル酸エステル、ジエチレングリコールモノメタクリル酸エステル、グリセリンモノアクリル酸エステル、グリセリンモノメタクリル酸エステル、Ｎ−メチロールアクリルアミド、Ｎ−メチロールメタクリルアミドなど、ビニルアルコールまたはビニルアルコールとのエーテル類、例えばビニルメチルエーテル、ビニルエチルエーテル、ビニルプロピルエーテルなど、またはビニルアルコールとカルボキシル基を含有する化合物のエステル類、例えば酢酸ビニル、プロピオン酸ビニル、酪酸ビニル、アクリルアミド、メタクリルアミド、ジアセトンアクリルアミドあるいはこれらのメチロール化合物、アクリル酸クロライド、メタクリル酸クロライドなどの酸クロライド類、ビニルピリジン、ビニルピロリドン、ビニルイミダゾール、エチレンイミンなどの窒素原子またはその複素環を有するものなどのホモポリマーまたは共重合体、ポリオキシエチレン、ポリオキシプロピレン、ポリオキシエチレンアルキルアミン、ポリオキシプロピレンアルキルアミン、ポリオキシエチレンアルキルアミド、ポリオキシプロピレンアルキルアミド、ポリオキシエチレンノニルフェニルエーテル、ポリオキシエチレンラウリルフェニルエーテル、ポリオキシエチレンステアリルフェニルエステル、ポリオキシエチレンノニルフェニルエステルなどのポリオキシエチレン系、並びにメチルセルロース、ヒドロキシエチルセルロース、ヒドロキシプロピルセルロースなどのセルロース類、または前記親水性モノマーとスチレン、α−メチルスチレン、ビニルトルエンなどのベンゼン核を有するものまたはその誘導体、またはアクリロニトリル、メタクリロニトリル、アクリルアミドなどのアクリル酸もしくはメタクリル酸誘導体との共重合体、さらに架橋性モノマー、例えばエチレングリコールジメタクリレート、ジエチレングリコールジメタクリレート、メタクリル酸アリル、ジビニルベンゼンなどとの共重合体も使用可能である。
【００８１】
上記高分子分散剤は、使用する親水性有機液体、および目的とする重合体粒子の種類とその粒子が種粒子の製造なのか、あるいは成長粒子の製造なのかにより適宜選択されるが、特に重合体粒子同士の凝集を主に立体的に防ぐ意味で、重合体粒子表面への親和性、吸着性が高く、しかも親水性有機液体への親和性、溶解性の高いものが選ばれる。
また、立体的に粒子同士の反撥を高めるために、分子鎖がある程度の長さのもの、好ましくは分子量が１万以上のものが選ばれる。しかしあまり分子量が高いと、液粘度の上昇が著しく、操作性、撹拌性が悪くなり、生成重合体の粒子表面への析出確率のばらつきを与えるため注意を要する。また、先に挙げた高分子分散剤の単量体を一部、目的とする重合体粒子を構成する単量体に共存させておくことも安定化には効果がある。
【００８２】
さらに、上記高分子分散剤とともにコバルト、鉄、ニッケル、アルミニウム、銅、錫、鉛、マグネシウムなどの金属またはその合金（特に、粒径１μｍ以下のものが好ましい）、酸化鉄、酸化銅、酸化ニッケル、酸化亜鉛、酸化チタン、酸化珪素などの酸化物の無機化合物微粉体、高級アルコール硫酸エステル塩、アルキルベンゼンスルホン酸塩、α−オレフィンスルホン酸塩、燐酸エステルなどの陰イオン界面活性剤、アルキルアミン塩、アミノアルコール脂肪酸誘導体、ポリアミン脂肪酸誘導体、イミダゾリンなどのアミン塩型や、アルキルトリメチルアンモニウム塩、ジアルキルジメチルアンモニウム塩、アルキルジメチルベンジルアンモニウム塩、ピリジウム塩、アルキルイソキノリニウム塩、塩化ベンゼトニウムなどの四級アンモニウム塩型の陽イオン界面活性剤、脂肪酸アミド誘導体、多価アルコール誘導体などの非イオン界面活性剤、例えば、アラニン型（例えば、ドデシルジ（アミノエチル）グリシン、ジ（オクチルアミノエチル）グリシンなど）のアミノ酸型やベタイン型の両性界面活性剤を併用しても、生成重合体粒子の安定性及び粒径分布の改良をさらに高めることができる。
【００８３】
一般に、種粒子製造時の高分子分散剤の使用量は目的とする重合体粒子形成用の重合性単量体の種類によって異なるが、親水性有機液体に対し０．１〜１０重量％、好ましくは１〜５重量％である。高分子分散安定剤の濃度が低い場合には、生成する重合体粒子は比較的大粒径のものが得られ、濃度の高い場合には小粒径のものが得られるが、１０重量％を越えて用いても小径化への効果は少ない。
【００８４】
また、前記の種粒子を得るために使用されるビニル単量体は、親水性有機液体に溶解可能なものであり、例えば、スチレン、ｏ−メチルスチレン、ｍ−メチルスチレン、ｐ−メチルスチレン、α−メチルスチレン、ｐ−エチルエチレン、２，４−ジメチルスチレン、ｐ−ｎ−ブチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン、ｐ−メトキシスチレン、ｐ−フェニルスチレン、ｐ−クロルスチレン、３，４−ジクロルスチレンなどのスチレン類、アクリル酸メチル、アクリル酸エチル、アクリル酸ｎ−ブチル、アクリル酸イソブチル、アクリル酸プロピル、アクリル酸ｎ−オクチル、アクリル酸ドデシル、アクリル酸ラウリル、アクリル酸２−エチルヘキシル、アクリル酸ステアリル、アクリル酸２−クロルエチル、アクリル酸フェニル、α−クロルアクリル酸メチル、メタクリル酸メチル、メタクリル酸エチル、メタクリル酸プロピル、メタクリル酸ｎ−ブチル、メタクリル酸イソブチル、メタクリル酸ｎ−オクチル、メタクリル酸ドデシル、メタクリル酸ラウリル、メタクリル酸２−エチルヘキシル、メタクリル酸ステアリル、メタクリル酸フェニル、メタクリル酸ジメチルアミノエチル、メタクリル酸ジエチルアミノエチルなどのα−メチル脂肪酸モノカルボン酸エステル類、アクリロニトリル、メタクリロニトリル、アクリルアミドなどのアクリル酸、もしくはメタクリル酸誘導体、塩化ビニル、塩化ビニリデン、臭化ビニル、フッ化ビニルなどのハロゲン化ビニル類などからなる単独または相互の混合物及びこれらを５０重量％以上含有し、これらと共重合し得る単量体との相互の混合物などが含まれる。
【００８５】
また、本発明における前記の重合体は、耐オフセット性を高めるために、重合性の二重結合を二個以上有するいわゆる架橋剤の存在下に重合させたものであってもよい。
好ましく用いられる架橋剤としては、ジビニルベンゼン、ジビニルナフタレン及びそれらの誘導体である芳香族ジビニル化合物、その他エチレングリコールジメタクリレート、ジエチレングリコールメタクリレート、トリエチレングリコールメタクリレート、トリメチロールプロパントリアクリレート、アリルメタクリレート、ｔｅｒｔ−ブチルアミノエチルメタクリレート、テトラエチレングリコールジメタクリレート、１，３−ブタンジオールジメタクリレートなどのジエチレン性カルボン酸エステル、Ｎ，Ｎ−ジビニルアニリン、ジビニルエーテル、ジビニルスルフィド、ジビニルスルホンなどのジビニル化合物、及び三個以上のビニル基を有する化合物が挙げられ、これらは単独または混合物などが用いられる。
【００８６】
このように架橋された種粒子を用いて、成長重合反応を引き続いて行なった場合には、成長する重合体粒子の内部が架橋されたものとなる。
また一方で、成長反応に用いるビニル単量体溶液に上記の架橋剤を含有させた場合には、粒子表面が硬化された重合体が得られる。
また、平均分子量を調節する目的として、連鎖移動定数の大きな化合物を共存させて重合を行なわせるものに、例えば、メルカプト基をもつ低分子化合物や四塩化炭素、四臭化炭素が挙げられる。
【００８７】
また、前記単量体の重合開始剤としては、例えば２，２’−アゾビスイソブチロニトリル、２，２’−アゾビス（２，４−ジメチルバレロニトリル）などのアゾ系重合開始剤、ラウリルパーオキシド、ベンゾイルパーオキシド、ｔ−ブチルパーオクトエートなどの過酸化物系重合開始剤、過硫酸カリウムなどの過硫酸化物系重合開始剤、これにチオ硫酸ナトリウム、アミンなどを併用した系などが用いられる。
重合開始剤濃度は、ビニル単量体１００重量部に対して０．１〜１０重量部が望ましい。
【００８８】
種粒子を得るための重合条件は、種粒子を形成する重合体粒子の目標平均粒径、目標粒径分布に合わせて、親水性有機液体中の高分子分散剤、ビニル単量体の濃度、及び配合比が決定される。一般に、粒子の平均粒径を小さくしようとするならば、高分子分散剤の濃度を高く、また平均粒径を大きくしようとするならば、高分子分散剤の濃度が低く設定される。
一方、粒子径分布を非常に鋭くしようとするならば、ビニル単量体濃度を低く、また、比較的広い分布でもよい場合は、ビニル単量体濃度は高く設定される。
【００８９】
種粒子の製造は、親水性有機液体に高分子分散安定剤を完全に溶解した後、一種または二種以上の前記ビニル単量体、重合開始剤、その他必要ならば無機微粉末、界面活性剤、染料、顔料などを添加し、３０〜３００ｒｐｍの通常の撹拌にて、好ましくはなるべく低速で、しかもパドル型よりもタービン型の撹拌翼を用いて、槽内の流れが均一になるような速度で撹拌しながら、用いた重合開始剤の重合速度に対応した温度にて加熱し重合が行なわれる。
なお、重合初期の温度は、生成する種粒子に大きな影響を与えるため、単量体を添加した後に温度を重合温度まで上げ、重合開始剤を小量の溶媒に溶解して投入した方が望ましい。
重合の際には窒素ガス、アルゴンガスなどの不活性気体にて反応容器内の空気中の酸素を充分に追い出す必要がある。この酸素パージが不充分であると微粒子が発生し易い。
重合を高重合率域で行なうには、５〜４０時間の重合時間が必要であるが、所望の粒子径、粒子径分布の状態で重合を停止させたり、また重合開始剤を順次添加したり、高圧下で反応を行なうことにより重合速度を速めることができる。
重合終了後は、そのまま染着工程に用いてもよいし、沈降分離、遠心分離、デカンテーションなどの操作により不必要な微粒子、残存モノマー、高分子分散安定剤などを除いた後に、重合体スラリーとして回収して染着を行なってもよいが、分散安定剤を除去しない方が染着の安定性は高く、不要な凝集が抑制される。
【００９０】
本発明に用いられる重合トナーを製造する際の染着は、次のようにして行なわれる。
すなわち、種粒子である樹脂粒子を溶解せしめない有機溶媒中に、当該樹脂粒子を分散し、この分散前または分散後に前記溶媒中に染料を溶解させ、前記染料を樹脂粒子中に浸透させ着色せしめた後、前記有機溶媒を除去して染着トナーを製造する方法において、前記染料の前記有機溶媒に対する液解度（Ｄ１）及び前記樹脂粒子の樹脂に対する前記染料の溶解度（Ｄ２）の関係が、（Ｄ１）／（Ｄ２）≦０．５となる染料を選択使用する。
これによって、樹脂粒子の深部まで染料が浸透（拡散）したトナーを効率よく製造することができる。なお、本明細書における溶解度は、２５℃の温度で測定されたものと定義する。
【００９１】
染料の樹脂中への溶解度とは、染料の溶媒中への溶解度と全く同じ定義であり、樹脂中に染料が相溶状態で含有させることができる最大量を意味する。この溶解状態あるいは染料の析出状態の観察は顕微鏡を用いることにより容易に行なうことができる。樹脂に対する染料の溶解性を知るには、直接観察による方法の代りに間接的な観察方法によってもよい。この方法は樹脂と溶解度係数が近似する液体、即ち樹脂をよく溶解する溶媒を用い、この溶媒に対する染料の溶解度を樹脂に対する溶解度として定めてもよい。
【００９２】
着色に使用する染料としては、前述のように使用する有機溶媒への該染料の溶解度（Ｄ１）と、前記樹脂粒子を形成する樹脂に対する染料の溶解度（Ｄ２）との比（Ｄ１）／（Ｄ２）を０．５以下とすることが好ましいが、特に、（Ｄ１）／（Ｄ２）を０．２以下とすることが好ましい。
染料としては、上記の溶解特性を満たせば特に制限はないが、カチオン染料、アニオン染料などの水溶性染料は環境変動が大きいおそれがあり、またトナーの電気抵抗が低くなり、転写率が低下する心配があるので、バット染料、分散染料、油溶性染料の使用が好ましく、特に油溶性染料が好ましい。
また、所望の色調に応じて数種の染料を併用することもできる。染着される染料と樹脂粒子との比率（重量）は、着色度に応じて任意に選択されるが、通常は樹脂粒子１重量部に対して、染料１〜５０重量部の割合で用いるのが好ましい。
【００９３】
例として、染着溶媒にＳＰ値の高いメタノール、エタノールなどのアルコール類を使用し、樹脂粒子としてＳＰ値が９程度のスチレン−アクリル系樹脂を使用した場合、用いられる染料としては、例えばＣ．Ｉ．ＳＯＬＶＥＮＴ  ＹＥＬＬＯＷ（６，９，１７，３１，３５，１０２，１０３，１０５）、Ｃ．Ｉ．ＳＯＬＶＥＮＴ  ＯＲＡＮＧＥ（２，７，１３，１４，６６）、Ｃ．Ｉ．ＳＯＬＶＥＮＴ  ＲＥＤ（５，１６，１７，１８，１９，２２，２３，１４３，１４５，１４６，１４９，１５０，１５１，１５７，１５８）、Ｃ．Ｉ．ＳＯＬＶＥＮＴ  ＶＩＯＬＥＴ（３１，３２，３３，３７）、Ｃ．Ｉ．ＳＯＬＶＥＮＴ  ＢＬＵＥ（２２，６３，７８，８３〜８６，９１，９４，９５，１０４）、Ｃ．Ｉ．ＳＯＬＶＥＮＴ  ＧＲＥＥＮ（２４，２５）、Ｃ．Ｉ．ＳＯＬＶＥＮＴ  ＢＲＯＷＮ（３，９）などの染料が挙げられる。
【００９４】
また、市販染料としては、例えば保土谷化学工業社製の愛染ＳＯＴ染料、Ｙｅｌｌｏｗ−１，３，４、Ｏｒａｎｇｅ−１，２，３、Ｓｃａｒｌｅｔ−１、Ｒｅｄ−１，２，３、Ｂｒｏｗｎ−２、Ｂｌｕｅ−１，２、Ｖｉｏｌｅｔ−１、Ｇｒｅｅｎ−１，２，３、Ｂｌａｃｋ−１，４，６，８や、ＢＡＳＦ社製のｓｕｄａｎ染料、Ｙｅｌｌｏｗ−１４０，１５０、Ｏｒａｎｇｅ−２２０、Ｒｅｄ−２９０，３８０，４６０、Ｂｌｕｅ−６７０や、三菱化成社製のダイアレジン、Ｙｅｌｌｏｗ−３Ｇ，Ｆ，Ｈ２Ｇ，ＨＧ，ＨＣ，ＨＬ、Ｏｒａｎｇｅ−ＨＳ，Ｇ、Ｒｅｄ−ＧＧ，Ｓ，ＨＳ，Ａ，Ｋ，Ｈ５Ｂ、Ｖｉｏｌｅｔ−Ｄ、Ｂｌｕｅ−Ｊ，Ｇ，Ｎ，Ｋ，Ｐ，Ｈ３Ｇ，４Ｇ、Ｇｒｅｅｎ−Ｃ、Ｂｒｏｗｎ−Ａや、オリエント化学社製のオイルカラー、Ｙｅｌｌｏｗ−３Ｇ，ＧＧ−Ｓ，＃１０５、Ｏｒａｎｇｅ−ＰＳ，ＰＲ，＃２０１、Ｓｃａｒｌｅｔ−＃３０８、Ｒｅｄ−５Ｂ、Ｂｒｏｗｎ−ＧＲ，＃４１６、Ｇｒｅｅｎ−ＢＧ，＃５０２、Ｂｌｕｅ−ＢＯＳ，ＨＮ、Ｂｌａｃｋ−ＨＢＢ，＃８０３，ＥＥ，ＥＸや、住友化学工業社製のスミプラスト、ブルーＧＰ，ＯＲ、レッドＦＢ，３Ｂ、イエローＦＬ７Ｇ，ＧＣや、日本化薬社製のカヤロン、ポリエステルブラックＥＸ−ＳＨ３、カヤセットＲｅｄ−ＢのブルーＡ−２Ｒなどを使用することができる。
無論、染料は、樹脂粒子と染着時に使用する溶媒の組み合わせで適宜選択されるため、上記例に限られるものではない。
【００９５】
染料を樹脂粒子に染着させるために用いる有機溶媒としては、使用する樹脂粒子が溶解しないもの、あるいは若干の膨潤をきたすもの、具体的には溶解性パラメーター（ＳＰ値）の差が１．０以上、好ましくは２．０以上のものが使用される。
例えば、スチレン−アクリル系樹脂粒子に対しては、ＳＰ値が高いメタノール、エタノール、ｎ−プロパノールなどのアルコール系、あるいはＳＰ値が低いｎ−ヘキサン、ｎ−ヘプタンなどを使用する。ＳＰ値の差があまりに大きすぎると、樹脂粒子に対する濡れが悪くなり、樹脂粒子の良好な分散が得られないため、最適なＳＰ値の差は２〜５が好ましい。
【００９６】
染料を溶解した有機溶媒中に樹脂粒子を分散させた後、液温度を樹脂粒子のガラス転移温度以下に保ち、撹拌することが好ましい。これにより、樹脂粒子の凝集を防ぎながら染着することが可能となる。
撹拌の方法は、市販されている撹拌機、例えばホモミキサー、マグネチックスタラーなどを用いて撹拌すればよい。また、分散重合などで重合終了時得られるスラリー、つまり有機溶媒中に重合樹脂粒子が分散している状態の分散液に、染料を直接添加して前記の条件にて加熱撹拌してもよい。加熱温度がガラス転移温度超過の場合は、樹脂粒子同士の融着が生じてしまう。
染着後のスラリーを乾燥する方法としては、特に限定はされないが、濾過した後に減圧乾燥あるいは濾別しないで直接減圧乾燥すればよい。
本発明において、濾別した後に風乾または減圧乾燥して得られた着色粒子は、凝集は殆どなく、投入した樹脂粒子の粒度分布を殆ど損なわないで再現される。
【００９７】
次に、懸濁重合トナーについて説明する。
懸濁重合に使用される重合性単量体はビニル基を有するモノマーであり、具体的には以下のようなモノマーが挙げられる。
すなわち、スチレン、ｏ−メチルスチレン、ｍ−メチルスチレン、ｐ−メチルスチレン、２，４−ジメチルスチレン、ブチルスチレン、オクチルスチレンなどのスチレン及びその誘導体が挙げられ、なかでもスチレン単量体が最も好ましい。
他のビニル系単量体として、プロピレン、ブチレン、イソブチレンなどのエチレン系不飽和モノオレフィン類、塩化ビニル、塩化ビニリデン、臭化ビニル、フッ化ビニルなどのハロゲン化ビニル類、酢酸ビニル、プロピオン酸ビニル、ベンゾエ酸ビニル、酪酸ビニルなどのビニルエステル類、アクリル酸メチル、アクリル酸エチル、アクリル酸−ｎ−ブチル、アクリル酸イソブチル、アクリル酸プロピル、アクリル酸−ｎ−オクチル、アクリル酸ドデシル、アクリル酸−２−エチルヘキシル、アクリル酸ステアリル、アクリル酸−２−クロルエチル、アクリル酸フェニル、α−クロルアクリル酸メチル、メタクリル酸メチル、メタクリル酸エチル、メタクリル酸プロピル、メタクリル酸−ｎ−ブチル、メタクリル酸イソプロピル、メタクリル酸−ｎ−オクチル、メタクリル酸ドデシル、メタクリル酸−２−エチルヘキシル、メタクリル酸ステアリル、メタクリル酸フェニル、メタクリル酸ジエチルアミノエチルなどのα−メチレン脂肪族モノカルボン酸エステル類、アクリロニトリル、メタアクリロニトリル、アクリルアミドなどのアクリル酸もしくはメタクリル酸誘導体、ビニルメチルエーテル、ビニルイソブチルエーテルなどのビニルエーテル類、ビニルメチルケトン、ビニルヘキシルケトン、メチルイソプロペニルケトンなどのビニルケトン類、Ｎ−ビニルピロール、Ｎ−ビニルカルバゾール、Ｎ−ビニルインドール、Ｎ−ビニルピロリドンなどのＮ−ビニル化合物類、ビニルナフタレンなどを挙げることができ、これらの単量体を単独あるいは混合して用いることができる。
【００９８】
単量体組成物中には、架橋重合体を生成させるために、架橋剤を存在させて懸濁重合させてもよい。
該架橋剤としては、例えば、ジビニルベンゼン、ジビニルナフタレン、ポリエチレングリコールジアクリレート、ジエチレングリコールジアクリレート、トリエチレングリコールジアクリレート、１，３−ブチレングリコールジアクリレート、１，６−ヘキサングリコールジメタクリレート、ネオペンチルグリコールジアクリレート、ジプロピレングリコールジメタクリレート、ポリプロピレングリコールジメタクリレート、２，２’−ビス（４−メタクリルロキシジエトキシフェニル）プロパン、２，２’−ビス（４−アクリルオキシジエトキシフェニル）プロパン、トリメチロールプロパントリメタクリレート、トリメチロールメタンテトラアクリレート、ジブロムネオペンチルグリコールジメタクリレート、フタル酸ジアリルなどが挙げられる。
架橋剤の使用量が多過ぎると、トナーが熱で溶融しにくくなり、熱定着性、熱圧定着性が劣ることになる。また、架橋剤の使用量が少なすぎると、トナーとして必要な耐ブロッキング性、耐久性などの性質が低下し、熱ロール定着において、トナーの一部が紙に完全に固着しないでロール表面に付着し、次の紙に転写するという、コールドオフセットが発生してしまう。
したがって、用いる架橋剤の量は、重合性単量体１００重量部に対して０．００１〜１５重量部が好ましく、特に０．１〜１０重量部が好ましい。
【００９９】
また、得られるトナーのオフセット防止のために、重合組成物に離型剤を含有させることができる。
離型剤としては、低分子量のポリエチレン、ポリプロピレンなどのポリオレフィンが好ましい。この低分子量オレフィン重合体は、着色剤と共に重合性単量体中に分散させておくのが好ましい。
なお、離型剤は、重合性単量体１００重量部に対して１〜１５重量部使用することが好ましい。離型剤の使用量が１重量部未満では、得られたトナーが充分な離型効果をもたず、ローラ上にオフセットしやすくなる。逆に使用量が１５重量部を超過すると、トナーから離型剤が摩擦帯電付与部材にスペントするようになるし、また、トナーの流動性が極めて悪くなる。
【０１００】
単量体に含有される着色剤としては、従来知られている染料及びカーボンブラック、カーボンブラックの表面を樹脂で被覆してなるグラフト化カーボンブラックのような顔料が使用可能である。
その他の着色剤としては、ランプブラック、鉄黒、群青、ニグロシン染料、アニリンブルー、フタロシアニングリーン、ハンザイエローＧ、ローダミン６Ｇ、レーキ、カルコオイルブルー、クロムイエロー、キナクリドン、ベンジジンイエロー、ローズベンガル、トリアリルメタン系染料、モノアゾ系染料、ジスアゾ系染料などの染顔料がある。
なお、これらの着色剤は、重合性単量体１００重量部に対して０．１〜３０重量部の量で使用するのが好ましい。
【０１０１】
また、本発明におけるトナーは、必要に応じて帯電制御剤を含有してもよい。
帯電制御剤としては公知のものが使用でき、例えばニグロシン系染料、トリフェニルメタン系染料、クロム含有金属錯体染料、モリブデン酸キレート顔料、ローダミン系染料、アルコキシ系アミン、４級アンモニウム塩（フッ素変性４級アンモニウム塩を含む）、アルキルアミド、燐の単体または化合物、タングステンの単体または化合物、フッ素系活性剤、サリチル酸金属塩及び、サリチル酸誘導体の金属塩等である。具体的にはニグロシン系染料のボントロン０３、第四級アンモニウム塩のボントロンＰ−５１、含金属アゾ染料のボントロンＳ−３４、オキシナフトエ酸系金属錯体のＥ−８２、サリチル酸系金属錯体のＥ−８４、フェノール系縮合物のＥ−８９（以上、オリエント化学工業社製）、第四級アンモニウム塩モリブデン錯体のＴＰ−３０２、ＴＰ−４１５（以上、保土谷化学工業社製）、第四級アンモニウム塩のコピーチャージＰＳＹ  ＶＰ２０３８、トリフェニルメタン誘導体のコピーブルーＰＲ、第四級アンモニウム塩のコピーチャージ  ＮＥＧ  ＶＰ２０３６、コピーチャージ  ＮＸ  ＶＰ４３４（以上、ヘキスト社製）、ＬＲＡ−９０１、ホウ素錯体であるＬＲ−１４７（日本カーリット社製）、銅フタロシアニン、ペリレン、キナクリドン、アゾ系顔料、その他スルホン酸基、カルボキシル基、四級アンモニウム塩等の官能基を有する高分子系の化合物が挙げられる。
【０１０２】
また、分散安定剤としては次のものが使用可能である。
すなわち、ポリビニルアルコール、でん粉、メチルセルロース、カルボキシメチルセルロース、ヒドロキシメチルセルロース、ポリアクリル酸ナトリウム、ポリメタクリル酸ナトリウム等の水溶性高分子、硫酸バリウム、硫酸カルシウム、炭酸バリウム、炭酸マグネシウム、リン酸カルシウム、タルク、粘土、珪藻土、金属酸化物粉末などが用いられる。これらは水に対して０．１〜１０重量％の範囲で用いるのが好ましい。
本発明において、重合開始剤は造粒後の単量体組成物を含む分散液中に添加してもよいが、個々の単量体組成物粒子に均一に重合開始剤を付与する点からは、造粒前の単量体組成物に含有させておくことが望ましい。
このような重合開始剤としては、２，２’−アゾビス−（２，４−ジメチルバレロニトリル）、２，２’−アゾビスイソブチロニトリル、１，１’−アゾビス−（シクロヘキサン−１−カルボニトリル）、２，２’−アゾビス−４−メチキシ−２，４−ジメチルバレロニトリル、アゾビスブチロニトリルなどのアゾ系またはジアゾ系重合開始剤、ベンゾイルパーオキサイド、メチルエチルケトンパーオキサイド、イソプロピルパーオキサイド、２，４−ジクロリルベンゾイルパーオキサイド、ラウリルパーオキサイドなどの過酸化物系重合開始剤が挙げられる。
【０１０３】
次に、乳化重合トナーについて説明する。
本乳化重合法では、無機分散剤または微粒子ポリマーの存在下で、水系媒体中にイソシアネート基を有するポリエステルプレポリマーをはじめとするトナー組成物を分散せしめ、アミン類により伸長反応あるいは架橋反応によりトナー粒子を形成させる。
イソシアネート基を有するポリエステルプレポリマー（Ａ）としては、ポリオール（１）とポリカルボン酸（２）の重縮合物でかつ活性水素基を有するポリエステルをさらにポリイソシアネート（３）と反応させた生成物などが挙げられる。上記ポリエステルの有する活性水素基としては、水酸基（アルコール性水酸基およびフェノール性水酸基）、アミノ基、カルボキシル基、メルカプト基などが挙げられ、これらのうち好ましいものはアルコール性水酸基である。
【０１０４】
上記ポリオール（１）としては、ジオール（１−１）および３価以上のポリオール（１−２）が挙げられ、（１−１）単独、または（１−１）と少量の（１−２）の混合物が好ましい。ジオール（１−１）としては、アルキレングリコール（エチレングリコール、１，２−プロピレングリコール、１，３−プロピレングリコール、１，４−ブタンジオール、１，６−ヘキサンジオールなど）；アルキレンエーテルグリコール（ジエチレングリコール、トリエチレングリコール、ジプロピレングリコール、ポリエチレングリコール、ポリプロピレングリコール、ポリテトラメチレンエーテルグリコールなど）；脂環式ジオール（１，４−シクロヘキサンジメタノール、水素添加ビスフェノールＡなど）；ビスフェノール類（ビスフェノールＡ、ビスフェノールＦ、ビスフェノールＳなど）；上記脂環式ジオールのアルキレンオキサイド（エチレンオキサイド、プロピレンオキサイド、ブチレンオキサイドなど）付加物；上記ビスフェノール類のアルキレンオキサイド（エチレンオキサイド、プロピレンオキサイド、ブチレンオキサイドなど）付加物などが挙げられる。これらのうち好ましいものは、炭素数２〜１２のアルキレングリコールおよびビスフェノール類のアルキレンオキサイド付加物であり、特に好ましいものはビスフェノール類のアルキレンオキサイド付加物、およびこれと炭素数２〜１２のアルキレングリコールとの併用である。３価以上のポリオール（１−２）としては、３〜８価またはそれ以上の多価脂肪族アルコール（グリセリン、トリメチロールエタン、トリメチロールプロパン、ペンタエリスリトール、ソルビトールなど）；３価以上のフェノール類（トリスフェノールＰＡ、フェノールノボラック、クレゾールノボラックなど）；上記３価以上のポリフェノール類のアルキレンオキサイド付加物などが挙げられる。
【０１０５】
前記ポリカルボン酸（２）としては、ジカルボン酸（２−１）および３価以上のポリカルボン酸（２−２）が挙げられ、（２−１）単独、および（２−１）と少量の（２−２）の混合物が好ましい。ジカルボン酸（２−１）としては、アルキレンジカルボン酸（コハク酸、アジピン酸、セバシン酸など）；アルケニレンジカルボン酸（マレイン酸、フマール酸など）；芳香族ジカルボン酸（フタル酸、イソフタル酸、テレフタル酸、ナフタレンジカルボン酸など）などが挙げられる。これらのうち好ましいものは、炭素数４〜２０のアルケニレンジカルボン酸および炭素数８〜２０の芳香族ジカルボン酸である。３価以上のポリカルボン酸（２−２）としては、炭素数９〜２０の芳香族ポリカルボン酸（トリメリット酸、ピロメリット酸など）などが挙げられる。なお、ポリカルボン酸（２）としては、上述のものの酸無水物または低級アルキルエステル（メチルエステル、エチルエステル、イソプロピルエステルなど）を用いてポリオール（１）と反応させてもよい。ポリオール（１）とポリカルボン酸（２）の比率は、水酸基［ＯＨ］とカルボキシル基［ＣＯＯＨ］の当量比［ＯＨ］／［ＣＯＯＨ］として、通常２／１〜１／１、好ましくは１．５／１〜１／１、さらに好ましくは１．３／１〜１．０２／１である。
【０１０６】
前記ポリイソシアネート（３）としては、脂肪族ポリイソシアネート（テトラメチレンジイソシアネート、ヘキサメチレンジイソシアネート、２，６−ジイソシアナトメチルカプロエートなど）；脂環式ポリイソシアネート（イソホロンジイソシアネート、シクロヘキシルメタンジイソシアネートなど）；芳香族ジイソシアネート（トリレンジイソシアネート、ジフェニルメタンジイソシアネートなど）；芳香脂肪族ジイソシアネート（α，α，α’，α’−テトラメチルキシリレンジイソシアネートなど）；イソシアヌレート類；前記ポリイソシアネートをフェノール誘導体、オキシム、カプロラクタムなどでブロックしたもの；およびこれら２種以上の併用が挙げられる。
ポリイソシアネート（３）の比率は、イソシアネート基［ＮＣＯ］と、水酸基を有するポリエステルの水酸基［ＯＨ］の当量比［ＮＣＯ］／［ＯＨ］として、通常５／１〜１／１、好ましくは４／１〜１．２／１、さらに好ましくは２．５／１〜１．５／１である。
［ＮＣＯ］／［ＯＨ］が５を超えると、低温定着性が悪化する傾向があり、［ＮＣＯ］のモル比が１未満では、変性ポリエステル中のウレア含量が低くなり、耐ホットオフセット性が悪化する傾向がある。
【０１０７】
末端にイソシアネート基を有するプレポリマー（Ａ）中のポリイソシアネート（３）構成成分の含有量は、通常０．５〜４０重量％、好ましくは１〜３０重量％、さらに好ましくは２〜２０重量％である。０．５重量％未満では、耐ホットオフセット性が悪化することがあり、耐熱保存性と低温定着性の両立の面で不利になる。また、４０重量％を超えると低温定着性が悪化する傾向がある。
イソシアネート基を有するプレポリマー（Ａ）中の１分子当たりに含有するイソシアネート基は、通常１個以上、好ましくは、平均１．５〜３個、さらに好ましくは、平均１．８〜２．５個である。１分子当たり１個未満では、ウレア変性ポリエステルの分子量が低くなり、耐ホットオフセット性が悪化する。
【０１０８】
前記アミン類（Ｂ）としては、ジアミン（Ｂ１）、３価以上のポリアミン（Ｂ２）、アミノアルコール（Ｂ３）、アミノメルカプタン（Ｂ４）、アミノ酸（Ｂ５）、および（Ｂ１）〜（Ｂ５）のアミノ基をブロックした化合物（Ｂ６）などが挙げられる。
ジアミン（Ｂ１）としては、芳香族ジアミン（フェニレンジアミン、ジエチルトルエンジアミン、４，４’−ジアミノジフェニルメタンなど）；脂環式ジアミン（４，４’−ジアミノ−３，３’−ジメチルジシクロヘキシルメタン、ジアミンシクロヘキサン、イソホロンジアミンなど）；および脂肪族ジアミン（エチレンジアミン、テトラメチレンジアミン、ヘキサメチレンジアミンなど）などが挙げられる。３価以上のポリアミン（Ｂ２）としては、ジエチレントリアミン、トリエチレンテトラミンなどが挙げられる。
アミノアルコール（Ｂ３）としては、エタノールアミン、ヒドロキシエチルアニリンなどが挙げられる。アミノメルカプタン（Ｂ４）としては、アミノエチルメルカプタン、アミノプロピルメルカプタンなどが挙げられる。アミノ酸（Ｂ５）としては、アミノプロピオン酸、アミノカプロン酸などが挙げられる。
（Ｂ１）〜（Ｂ５）のアミノ基をブロックした化合物（Ｂ６）としては、前記（Ｂ１）〜（Ｂ５）のアミン類とケトン類（アセトン、メチルエチルケトン、メチルイソブチルケトンなど）から得られるケチミン化合物、オキサゾリン化合物などが挙げられる。
【０１０９】
これらアミン類（Ｂ）のうち好ましいものは、（Ｂ１）および（Ｂ１）と少量の（Ｂ２）の混合物である。さらに、必要により伸長停止剤を用いてウレア変性ポリエステルの分子量を調整することができる。
伸長停止剤としては、例えば、モノアミン（ジエチルアミン、ジブチルアミン、ブチルアミン、ラウリルアミンなど）、およびそれらをブロックしたもの（ケチミン化合物）などが挙げられる。
アミン類（Ｂ）の比率は、イソシアネート基を有するプレポリマー（Ａ）中のイソシアネート基［ＮＣＯ］と、アミン類（Ｂ）中のアミノ基［ＮＨｘ］の当量比［ＮＣＯ］／［ＮＨｘ］として、通常１／２〜２／１、好ましくは１．５／１〜１／１．５、さらに好ましくは１．２／１〜１／１．２である。［ＮＣＯ］／［ＮＨｘ］が２を超え、１／２未満では、ウレア変性ポリエステル（ｉ）の分子量が低くなり、耐ホットオフセット性が悪化する。
本発明においては、ウレア結合で変性されたポリエステル（ｉ）中に、ウレア結合と共にウレタン結合を含有していてもよい。
ウレア結合含有量とウレタン結合含有量のモル比は、通常１００／０〜１０／９０であり、好ましくは８０／２０〜２０／８０、さらに好ましくは、６０／４０〜３０／７０である。ウレア結合のモル比が１０％未満では、耐ホットオフセット性が悪化する傾向がある。
【０１１０】
本発明のウレア変性ポリエステル（ｉ）は、ワンショット法、などにより製造される。
ウレア変性ポリエステル（ｉ）の重量平均分子量は、通常１万以上、好ましくは２万〜１０００万、さらに好ましくは３万〜１００万である。１万未満では耐ホットオフセット性が悪化する。ウレア変性ポリエステルの数平均分子量は、後述の変性されていないポリエステル（ii）を用いる場合は特に限定されるものではなく、前記重量平均分子量とするのに得やすい数平均分子量でよい。
（ｉ）単独の場合は、数平均分子量は、通常２０００〜１５０００、好ましくは２０００〜１００００、さらに好ましくは２０００〜８０００である。２００００を超えると低温定着性およびフルカラー装置に用いた場合の光沢性が悪化する。
【０１１１】
本発明においては、前記ウレア結合で変性されたポリエステル（ｉ）単独使用だけでなく、この（ｉ）と共に、変性されていないポリエステル（ii）をトナーバインダー成分として含有させることもできる。（ii）を併用することによって、低温定着性およびフルカラー装置に用いた場合の光沢性が向上するため、単独使用より好ましい。ポリエステル（ii）としては、前記（ｉ）のポリエステル成分と同様なポリオール（１）とポリカルボン酸（２）との重縮合物などが挙げられ、好ましいものも（ｉ）と同様である。
また、ポリエステル（ii）は無変性のポリエステルだけでなく、ウレア結合以外の化学結合で変性されているものでもよく、例えばウレタン結合で変性されていてもよい。
（ｉ）と（ii）は少なくとも一部が相溶していることが低温定着性、耐ホットオフセット性の面で好ましい。したがって、（ｉ）のポリエステル成分と（ii）は類似の組成が好ましい。
（ii）を含有させる場合の（ｉ）と（ii）の重量比は、通常５／９５〜８０／２０、好ましくは５／９５〜３０／７０、さらに好ましくは５／９５〜２５／７５、特に好ましくは７／９３〜２０／８０である。
（ｉ）の重量比が５％未満では、耐ホットオフセット性が悪化するとともに、耐熱保存性と低温定着性の両立の面で不利になる。（ii）の水酸基価は５以上であることが好ましく、（ii）の酸価は通常１〜３０、好ましくは５〜２０である。酸価を持たせることで負帯電性となりやすい傾向がある。
【０１１２】
トナー粒子は、水系媒体中でイソシアネート基を有するプレポリマー（Ａ）からなる分散体を、アミン類（Ｂ）と反応させて形成してもよいし、あらかじめ製造したウレア変性ポリエステル（ｉ）を用いてもよい。
水系媒体中でウレア変性ポリエステル（ｉ）やプレポリマー（Ａ）からなる分散体を安定して形成させる方法としては、水系媒体中にウレア変性ポリエステル（ｉ）やプレポリマー（Ａ）からなるトナー原料の組成物を加えて、せん断力により分散させる方法などが挙げられる。
プレポリマー（Ａ）と他のトナー組成物である（以下トナー原料と呼ぶ）着色剤、着色剤マスターバッチ、離型剤、荷電制御剤、未変性ポリエステル樹脂などは、水系媒体中で分散体を形成させる際に混合してもよいが、あらかじめトナー原料を混合した後、水系媒体中にその混合物を加えて分散させた方がより好ましい。
また、本発明においては、着色剤、離型剤、荷電制御剤などの他のトナー原料は、必ずしも、水系媒体中で粒子を形成させるときに混合しておく必要はなく、粒子を形成せしめた後、添加してもよい。たとえば、着色剤を含まない粒子を形成させた後、公知の染着の方法で着色剤を添加することもできる。
【０１１３】
分散の方法としては特に限定されるものではないが、低速せん断式、高速せん断式、摩擦式、高圧ジェット式、超音波など公知の方式の分散設備が適用できる。分散体の粒径を２〜２０μｍにするために高速せん断式が好ましい。
高速せん断式分散機を使用した場合、回転数は特に限定はないが、通常１０００〜３００００ｒｐｍ、好ましくは５０００〜２００００ｒｐｍである。分散時間は特に限定はないが、バッチ方式の場合は、通常０．１〜５分である。
分散時の温度としては、通常、０〜１５０℃（加圧下）、好ましくは４０〜９８℃である。高温である方が、ウレア変性ポリエステル（ｉ）やプレポリマー（Ａ）からなる分散体の粘度が低く、分散が容易な点で好ましい。
【０１１４】
ウレア変性ポリエステル（ｉ）やプレポリマー（Ａ）を含むトナー組成物１００部に対する水系媒体の使用量は、通常５０〜２０００重量部、好ましくは１００〜１０００重量部である。５０重量部未満ではトナー組成物の分散状態が悪く、所定の粒径のトナー粒子が得られない。２０００重量部を超えると経済的でない。また、必要に応じて、分散剤を用いることもできる。
分散剤を用いた方が、粒度分布がシャープになるとともに分散が安定である点で好ましい。
トナー組成物が分散された油性相を水が含まれる液体に乳化、分散するために用いられる分散剤として、アルキルベンゼンスルホン酸塩、α−オレフィンスルホン酸塩、リン酸エステルなどの陰イオン界面活性剤、アルキルアミン塩、アミノアルコール脂肪酸誘導体、ポリアミン脂肪酸誘導体、イミダゾリンなどのアミン塩型や、アルキルトリメチルアンモニム塩、ジアルキルジメチルアンモニウム塩、アルキルジメチルベンジルアンモニウム塩、ピリジニウム塩、アルキルイソキノリニウム塩、塩化ベンゼトニウムなどの四級アンモニウム塩型の陽イオン界面活性剤、脂肪酸アミド誘導体、多価アルコール誘導体などの非イオン界面活性剤、例えばアラニン、ドデシルジ（アミノエチル）グリシン、ジ（オクチルアミノエチル）グリシンやＮ−アルキル−Ｎ，Ｎ−ジメチルアンモニウムべタインなどの両性界面活性剤が挙げられる。
【０１１５】
また、微粒子ポリマーも無機分散剤と同様な効果があることが確認された。
このような例としては、ＭＭＡポリマー微粒子（１、及び３μｍ）、スチレン微粒子（０．５及び２μｍ）、スチレン−アクリロニトリル微粒子ポリマー（１μｍ）、あるいは市販例としてＰＢ−２００Ｈ（花王製）、ＳＧＰ（総研）、テクノポリマーＳＢ（積水化成品工業）、ＳＧＰ−３Ｇ（総研）ミクロパール（積水ファインケミカル）などが挙げられる。
また上記の無機分散剤、微粒子ポリマーとを併用して使用することも可能であり、高分子系保護コロイドにより分散液滴を安定化させてもよい。
【０１１６】
例えば、アクリル酸、メタクリル酸、α−シアノアクリル酸、α−シアノメタクリル酸、イタコン酸、クロトン酸、フマール酸、マレイン酸または無水マレイン酸などの酸類、あるいは水酸基を含有する（メタ）アクリル系単量体、例えばアクリル酸β−ヒドロキシエチル、メタクリル酸β−ヒドロキシエチル、アクリル酸βーヒドロキシプロピル、メタクリル酸β−ヒドロキシプロピル、アクリル酸γ−ヒドロキシプロピル、メタクリル酸γ−ヒドロキシプロピル、アクリル酸３−クロロ２−ヒドロキシプロビル、メタクリル酸３−クロロ−２−ヒドロキシプロピル、ジエチレングリコールモノアクリル酸エステル、ジエチレングリコールモノメタクリル酸エステル、グリセリンモノアクリル酸エステル、グリセリンモノメタクリル酸エステル、Ｎ−メチロールアクリルアミド、Ｎーメチロールメタクリルアミドなど、ビニルアルコールまたはビニルアルコールとのエ一テル類、例えばビニルメチルエーテル、ビニルエチルエーテル、ビニルプロピルエーテルなど、またはビニルアルコールとカルボキシル基を含有する化合物のエステル類、例えば酢酸ビニル、プロピオン酸ビニル、酪酸ビニルなど、アクリルアミド、メタクリルアミド、ジアセトンアクリルアミドあるいはこれらのメチロール化合物、アクリル酸クロライド、メタクリル酸クロライドなどの酸クロライド類、ビニルピリジン、ビニルピロリドン、ビニルイミダゾール、エチレンイミンなどの窒素原子、またはその複素環を有するものなどのホモポリマーまたは共重合体、ポリオキシエチレン、ポリオキシプロピレン、ポリオキシエチレンアルキルアミン、ポリオキシプロピレンアルキルアミン、ポリオキシエチレンアルキルアミド、ポリオキシプロピレンアルキルアミド、ポリオキシエチレンノニルフエニルエーテル、ポリオキシエチレンラウリルフェニルエーテル、ポリオキシエチレンステアリルフェニルエステル、ポリオキシエチレンノニルフェニルエステルなどのポリオキシエチレン系、メチルセルロース、ヒドロキシエチルセルロース、ヒドロキシプロピルセルロースなどのセルロース類などが使用できる。
【０１１７】
得られた乳化分散体から有機溶媒を除去するためには系全体を徐々に昇温し、液滴中の有機溶媒を完全に短時間で蒸発除去する方法を採用することができる。  なお、分散安定剤としてリン酸カルシウム塩などの酸、アルカリに溶解可能な物を用いた場合は、塩酸等の酸により、リン酸カルシウム塩を溶解した後、水洗するなどの方法によって、微粒子からリン酸カルシウム塩を除去する。その他酵素による分解などの操作によっても除去できる。
分散剤を使用した場合には、該分散剤がトナー粒子表面に残存したままとすることもできるが、伸長および／または架橋反応後、洗浄除去する方がトナーの帯電面から好ましい。
【０１１８】
さらに、トナー組成物の粘度を低くするために、前記ウレア変性ポリエステル（ｉ）やプレポリマー（Ａ）が可溶の溶剤を使用することもできる。溶剤を用いる方が、粒度分布がシャープになる点で好ましい。
用いる溶剤は、沸点が１００℃未満の揮発性であることが除去が容易である点から好ましい。
溶剤としては、例えば、トルエン、キシレン、ベンゼン、四塩化炭素、塩化メチレン、１，２−ジクロロエタン、１，１，２−トリクロロエタン、トリクロロエチレン、クロロホルム、モノクロロベンゼン、ジクロロエチリデン、酢酸メチル、酢酸エチル、メチルエチルケトン、メチルイソブチルケトンなどを単独あるいは２種以上組合せて用いることができる。特に、トルエン、キシレン等の芳香族系溶媒および塩化メチレン、１，２−ジクロロエタン、クロロホルム、四塩化炭素等のハロゲン化炭化水素が好ましい。
プレポリマー（Ａ）１００重量部に対する溶剤の使用量は、通常０〜３００重量部、好ましくは０〜１００重量部、さらに好ましくは２５〜７０重量部である。
溶剤を使用した場合は、伸長および／または架橋反応後、常圧または減圧下にて加温し除去する。
【０１１９】
伸長および／または架橋反応時間は、プレポリマー（Ａ）の有するイソシアネート基構造とアミン類（Ｂ）の組み合わせによる反応性により選択されるが、通常１０分〜４０時間、好ましくは２〜２４時間である。
反応温度は、通常、０〜１５０℃、好ましくは４０〜９８℃である。
また、必要に応じて公知の触媒を使用することができる。具体的にはジブチルチンラウレート、ジオクチルチンラウレートなどが挙げられる。
【０１２０】
次に、本発明の画像形成装置に用いられる像担持体（感光体ドラム）の感光体について説明する。
本発明の画像形成装置に用いられる感光体は、導電性支持体の上に少なくとも電荷発生層、電荷輸送層が形成されたもの、あるいはさらに電荷輸送層の上に保護層が形成されたもの等が使用される。導電性支持体および電荷発生層としては、公知のものを使用することができる。
本発明における該感光体の材料としては、セレン及びその合金、アモルファスシリコン等の無機感光体材料でもよいが、有機感光体材料が好適である。
【０１２１】
また、感光体の表面には導電性支持体の表面性や感光体の形成条件等の影響で凹凸が生じるが、感光体表面の該凹凸はトナーが容易に移動できるような範囲にする必要がある。
感光体表面の凹凸の周期がトナー粒径と同程度から数倍程度では、凹凸によってトナーの動きが阻害される。このため、感光体の表面は、凹凸の周期の平均値がトナーの体積平均粒径よりも充分大きく、少なくとも１０倍以上にするのが好ましい。
【０１２２】
有機感光体の電荷発生層に用いる電荷発生顔料としては、例えばＸ型の無金属フタロシアニン、π型の無金属フタロシアニン、τ型の無金属フタロシアニン、ε型の銅フタロシアニン、α型チタニルフタロシアニン、β型チタニルフタロシアニン等のフタロシアニン顔料やジスアゾ・トリスアゾ系顔料、アントラキノン系顔料、多環キノン系顔料、インジゴ顔料、ジフェニルメタン、トリメチルメタン系顔料、シアニン系顔料、キノリン系顔料、ベンゾフェノン、ナフトキノン系顔料、ペリレン顔料、フルオレノン系顔料、スクアリリウム系顔料、アズレニウム系顔料、ペリノン系顔料、キナクリドン系顔料、ナフタロシアニン系顔料、ポルフィリン系顔料が使用できる。
これら電荷発生顔料の感光層全体に占める量は０．１〜４０ｗｔ％、好ましくは０．３〜２５重量％が適当である。なお、これらの電荷発生顔料は有機アクセプタ性化合物と組み合わせて使用することが可能である。
【０１２３】
また、電荷輸送層に用いる有機正孔輸送物質としては、公知のものが利用できる。
例えば、分子中にトリフェニルアミン部位を有する化合物、ヒドラゾン系化合物、トリフェニルメタン系化合物、オキサジアゾール系化合物、カルバゾール系化合物、ピラゾリン系化合物、スチリル系化合物、ブタジエン系化合物、線状の主鎖がＳｉよりなるポリシラン系化合物、ポリビニルカルバゾール等高分子ドナー性化合物等が挙げられる。
感光層全体に占める該正孔輸送物質の量は、１０重量％以上、好ましくは２０〜６０重量％が適当である。
【０１２４】
さらに、前記感光層用結着剤としては、ポリエチレン、ポリプロピレン、アクリル樹脂、メタクリル樹脂、塩化ビニル樹脂、酢酸ビニル樹脂、エポキシ樹脂、ポリウレタン樹脂、フェノール樹脂、ポリエステル樹脂、アルキッド樹脂、ポリカーボネート樹脂、シリコーン樹脂、メラミン樹脂等の付加重合型樹脂、重付加型樹脂、重縮合型樹脂、並びにこれらの繰り返し単位のうち２つ以上を含む共重合体樹脂、例えば塩化ビニル−酢酸ビニル共重合体、塩化ビニル−酢酸ビニル−無水マレイン酸共重合体樹脂を挙げることができる。
これら結着剤の感光層全体に占める量は、２０〜９０重量％が好ましく、さらに３０〜７０重量％であることが好ましい。
【０１２５】
また、帯電性を改良する目的で感光層と導電性支持体、いわゆる導電性基体との間に下引き層を設けることができる。これらの材料としては前記結着剤材料の他に、ポリアミド樹脂、ポリビニルアルコール、カゼイン、ポリビニルピロリドン等公知のものが利用できる。
【０１２６】
本発明で用いることができる導電性基体としては、公知のものが利用でき、アルミニウム、ニッケル、銅、ステンレス等の金属板、金属ドラムまたは金属箔、アルミニウム、酸化錫、ヨウ化銅の薄膜を塗布または貼付したプラスチックフィルムあるいはガラス等が挙げられる。
【０１２７】
本発明の画像形成装置に用いられる有機感光体を作製するには、前記電荷発生材料を有機溶媒中に溶解または、ボールミル、超音波等で分散して調整した電荷発生層形成液を浸漬法やブレード塗布、スプレー塗布等の公知の方法で基体上に塗布・乾燥し、その上に前記電荷輸送材料を同様の方法で調整した電荷輸送層形成液を塗布・乾燥して形成すればよい。
【０１２８】
次に、本発明の画像形成装置に用いられる中間転写装置の中間転写体について説明する。
本発明に用いられる中間転写体としては、前記図１の例で示した転写ベルトや転写ローラを用いることができる。
中間転写ベルトは、転写ローラに比べて転写ニップを広くとれ、また設計上の自由度が高いため、装置の小型化を可能とする等の利点があり、本発明に好適に用いられる。
本発明の画像形成装置に用いられる中間転写ベルトとしては、単層構成でもよいが、２層以上の多層構成であることが好ましく、特に、弾性を有する素材からなる弾性層を設けることが好ましい。
これは、中間転写ベルトに弾性層があると、ベルトが変形することにより応力が分散するため中抜け画像が改善されるためである。
しかしながら、中間転写ベルトが弾性層だけで構成されると、中間転写ベルトを駆動するときに中間転写ベルト自体が伸縮してしまうので、転写画像が色毎にずれてしまう色ずれ現象が発生しやすくなる。
このため、中間転写ベルトの伸縮を抑制するための層が必要になり、例えば、伸縮の少ない樹脂層や繊維を用いた芯体層等を設けることが好ましい。
【０１２９】
上記弾性層に使用される材料としては、ブチルゴム、フッ素系ゴム、アクリルゴム、ＥＰＤＭ、ＮＢＲ、アクリロニトリル−ブタジエン−スチレンゴム天然ゴム、イソプレンゴム、スチレン−ブタジエンゴム、ブタジエンゴム、エチレン−プロピレンゴム、エチレン−プロピレンターポリマー、クロロプレンゴム、クロロスルホン化ポリエチレン、塩素化ポリエチレン、ウレタンゴム、シンジオタクチック１，２−ポリブタジエン、エピクロロヒドリン系ゴム、シリコーンゴム、フッ素ゴム、多硫化ゴム、ポリノルボルネンゴム、水素化ニトリルゴム、熱可塑性エラストマー（例えばポリスチレン系、ポリオレフィン系、ポリ塩化ビニル系、ポリウレタン系、ポリアミド系、ポリウレア、ポリエステル系、フッ素樹脂系）等があるが、上記材料に限定されるものではない。
【０１３０】
また、上記樹脂層に使用される材料は、ポリカーボネート、フッ素系樹脂（ＥＴＦＥ、ＰＶＤＦ）、ポリスチレン、クロロポリスチレン、ポリ−ジメチルスチレン、スチレン−ブタジエン共重合体、スチレン−塩化ビニル共重合体、スチレン−酢酸ビニル共重合体、スチレン−マレイン酸共重合体、スチレン−アクリル酸エステル共重合体（スチレン−アクリル酸メチル共重合体、スチレン−アクリル酸エチル共重合体、スチレン−アクリル酸ブチル共重合体、スチレン−アクリル酸オクチル共重合体及びスチレン−アクリル酸フェニル共重合体等）、スチレン−メタクリル酸エステル共重合体（スチレン−メタクリル酸メチル共重合体、スチレン−メタクリル酸エチル共重合体、スチレン−メタクリル酸フェニル共重合体等）、スチレン−α−クロルアクリル酸メチル共重合体、スチレン−アクリロニトリル−アクリル酸エステル共重合体等のスチレン系樹脂（スチレンまたはスチレン置換体を含む単重合体または共重合体）、メタクリル酸メチル樹脂、メタクリル酸ブチル樹脂、アクリル酸エチル樹脂、アクリル酸ブチル樹脂、変性アクリル樹脂（シリコーン変性アクリル樹脂、塩化ビニル樹脂変性アクリル樹脂、アクリル・ウレタン樹脂等）、塩化ビニル樹脂、スチレン−酢酸ビニル共重合体、塩化ビニル−酢酸ビニル共重合体、ロジン変性マレイン酸樹脂、フェノール樹脂、エポキシ樹脂、ポリエステル樹脂、ポリエステルポリウレタン樹脂、ポリエチレン、ポリプロピレン、ポリブタジエン、ポリ塩化ビニリデン、アイオノマー樹脂、ポリウレタン樹脂、シリコーン樹脂、ケトン樹脂、エチレン−エチルアクリレート共重合体、キシレン樹脂及びポリビニルブチラール樹脂、ポリアミド樹脂、変性ポリフェニレンオキサイド樹脂等があるが、上記材料に限定されるものではない。
【０１３１】
さらに、前記芯体層に使用される繊維としては、綿、絹、麻などの天然繊維、キチン繊維、アルギン酸繊維等の再生繊維、アセテート繊維等の半合成繊維、ポリエステル繊維、ナイロン繊維、アクリル繊維、ポリオレフィン繊維、ポリウレタン繊維、ポリアセタール繊維、アラミド繊維等の合成繊維、炭素繊維、ガラス繊維などの無機繊維等を用いることができるが、上記材料に限定されるものではない。
【０１３２】
表面層に使用される材料としては、ポリウレタン、ポリエステル、エポキシ樹脂等の１種類以上を使用し、フッ素樹脂、フッ素化合物、フッ化炭素、２酸化チタン、シリコンカーバイト等の粉体粒子を１種類以上分散させたものや、フッ素系ゴム材料のように熱処理を行なうことで表面にフッ素リッチな層を形成させたものを使用することもできるが、上記材料に限定されるものではない。
【０１３３】
前記中間転写ベルトの抵抗値は、導電性フィラーの添加条件によって調整されているが、本発明における用いられる中間転写ベルトの体積抵抗率は１０８〜１０１３Ωｃｍの範囲に調整されることが好ましい。
中間転写ベルトの体積抵抗率が１０７Ωｃｍ以下になると、電荷のリークが発生し、転写効率が低下する傾向がでてくる場合があり、また、体積抵抗率が１０１３Ωｃｍを超えると、転写後に残留電荷が発生しやすくなって、除電装置が必要になる場合がある。
【０１３４】
導電性フィラーとしては、カーボンブラック、グラファイト、アルミニウムやニッケル等の金属粉末、酸化錫、酸化チタン、酸化アンチモン、酸化インジウム、チタン酸カリウム、酸化アンチモン−酸化錫複合酸化物（ＡＴＯ）、酸化インジウム−酸化錫複合酸化物（ＩＴＯ）等の導電性金属酸化物、導電性金属酸化物は、硫酸バリウム、ケイ酸マグネシウム、炭酸カルシウム等の絶縁性微粒子を被覆したもの、４級アンモニウム塩含有ポリメタクリル酸メチル、ポリビニルアニリン、ポリビニルピロール、ポリジアセチレン、ポリエチレンイミン、含硼素高分子化合物及びポリピロール等が使用できるが、上記材料に限定されるものではない。
【０１３５】
中間転写ベルトの製造方法としては、回転する円筒形の型に材料を流し込んでベルトを形成する遠心成型法、表層の薄い膜を形成させるスプレー塗工法、円筒形の型を材料の溶液の中に浸けて引き上げるディッピング法、内型と外型との中に注入する注型法、円筒形の型にコンパウンドを巻き付けて加硫研磨を行なう方法などがあるが、これに限定されるものではなく、複数の製法を組み合わせてベルトを製造することができる。
【０１３６】
本発明の各作像手段を備えた画像形成装置においては、構成手段の作業手段の保守や交換性を良好なものとするため、像担持体と、帯電手段、現像手段およびクリーニング手段から選ばれる少なくとも一つの手段を一体に支持し画像形成装置に着脱自在とし、該現像手段をトナーもしくは二成分現像剤を保持するプロセスカートリッジとして構成して用いることができる。
【実施例】
【０１３７】
以下、実施例により本発明を更に詳細に説明する。ただし、本発明はこれらの実施例によってなんら限定されるものではない。
【０１３８】
先ず、各実施例に共通に使用した画像形成装置用感光体について説明する。
下記構造式（１）のビスアゾ顔料０．４重量部をブチラール樹脂（エスレックＢＬ−Ｓ  積水化学（株）製）の５重量％テトラヒドロフラン溶液４重量部、及びテトラヒドロフラン７．６重量部とともにボールミリングを行ない、ミリング後テトラヒドロフランを加えて２重量％に希釈し、電荷発生層形成用塗布液を調整した。
この電荷発生層形成用塗布液をφ９０ｍｍのアルミニウム製感光体ドラムに浸漬法によって塗布した後に、乾燥させて電荷発生層を形成した。
【０１３９】
【化１】
2004302422.tif 000009
【０１４０】
次に、下記構造式（２）の正孔輸送物質を６．０重量部と、感光体バインダー樹脂としてシクロヘキシリデンビスフェノールポリカーボネート（Ｚポリカ、帝人化成ＴＳ２０５０）９．０重量部を、テトラヒドロフラン６７重量部に溶解し、電荷輸送層形成用塗布液を調整し、これを浸漬法で電荷発生層上に塗布・乾燥させて、膜厚が２０μｍの電荷輸送層を形成し、本実施例の有機感光体を作製した。
【０１４１】
【化２】
2004302422.tif 000010
【０１４２】
次に、各実施例に使用した中間転写ベルトについて説明する。
円筒形の型をフッ素系樹脂（ＰＶＤＦ）にカーボンブラックを均一に分散させた分散液に浸け、静かに引き上げて室温にて乾燥させた。この工程を繰り返して、円筒形型の表面に厚みが１５０μｍの樹脂層を形成した。
次に、この樹脂層が形成されている円筒形型を、ウレタンゴムにカーボンブラックを均一に分散させた分散液に浸け、静かに引き上げて自然乾燥させた。この工程を繰り返して、前記樹脂層の表面に厚みが３００μｍの弾性層を形成した。  さらに、上記の樹脂層及び弾性層が形成されている円筒形型を、ポリウレタンにＰＴＦＥ樹脂粒子を均一に分散させた分散液に浸け、静かに引き上げて自然乾燥させた。
この工程を繰り返して、弾性層の表面に厚みが１０μｍの表面層を形成後、加熱硬化処理を行なった。
最後に、樹脂層（１５０μｍ）、弾性層（３００μｍ）、表面層（１０μｍ）の３層構成からなる無端状ベルトを円筒形型から脱型させ、本実施例の中間転写ベルトを得た。樹脂層及び弾性層に分散させたカーボンブラックの添加量は、中間転写ベルトの体積抵抗率が１０１１〜１０１２Ωｃｍとなるように調整した。
【０１４３】
（実施例１）
まず、本実施例に使用するトナーについて説明する。
スチレンモノマー４０重量部にカーボンブラックＭＡ１００（三菱化成社製）２０重量部と重合開始剤として２，２’−アゾビスイソブチロニトリルを０．５重量部加え、スリーワンモータ駆動撹拌翼、冷却器、ガス導入管、温度計を取り付けた５００ｍｌ四つ口セパラブルフラスコに入れ、窒素気流下、室温で３０分間撹拌し、フラスコ内の酸素を窒素で置換した。
その後、７０℃の湯浴中で６時間６０ｒｐｍにて撹拌し、グラフトカーボンブラックを得た。
次いで、下記分散液組成の混合物をボールミルで１０時間分散した。
〈分散液組成〉
スチレンモノマー                                      ５０重量部
ｎ−ブチルメタクリレート                          １４．５重量部
１，３−ブタンジオールジメタアクリレート            ０．５重量部
ｔ−ブチルアクリルアミドスルフォン酸                    ３重量部
低分子量ポリエチレン                                    ２重量部
（三井石油化学社製、三井ハイワックス２１０Ｐ）
上記グラフトカーボンブラック                          ３０重量部
【０１４４】
この分散液に２，２’−アゾビスイソブチロニトリルおよび亜硝酸ナトリウムをそれぞれ１重量部ずつ溶解させた後、ポリビニルアルコールの２％水溶液２５０重量部に加え、特殊機化社製ＴＫホモミキサー４２００ｒｐｍ、１０分間にて撹拌して懸濁液を得た。
該懸濁液をスリーワンモータ駆動撹拌翼、冷却器、ガス導入管、温度計を取り付けた５００ｍｌの四つ口セパラブルフラスコに入れ、窒素気流下、室温で撹拌し、フラスコ内の酸素を窒素で置換した。その後、７０℃の湯浴中で５〜８時間、約１００ｒｐｍにて撹拌して重合を完了させ懸濁重合粒子を作製した。
こうして得られた懸濁重合粒子１００重量部を、水／メタノール＝１／１（重量比）の混合液に固形分として３０％になるよう再分散した後、荷電制御剤としてＨ４Ｎ（ＣＨ２）５ＣＨ＝Ｃ（Ｃ２Ｆ５）２を３重量部添加し、撹拌後濾過乾燥して、平均円形度が０．９８５、体積平均粒径Ｄが６．８μｍの重合粒子Ａを得た。
なお、平均円形度の測定は、フロー式粒子像分析装置ＦＰＩＡ−１０００（東亜医用電子社製）、体積平均粒径Ｄの測定はコールター社製粒径測定装置ＴＡ−II型を用いて実施した。
【０１４５】
上記重合粒子Ａに、疎水化処理した一次粒径の平均値が２０ｎｍで不定形のシリカＡをトナー量の０．９重量％、疎水化処理した一次粒径の平均値が１００ｎｍで不定形のシリカＢをトナー量の０．５重量％、疎水化処理した一次粒径の平均値が１８ｎｍで不定形の酸化チタンＡをトナー量の０．７重量％となるように、それぞれ配合した後、ヘンシェルミキサーによって攪拌混合処理して、実施例１のトナーを作製した。
【０１４６】
作製した実施例１のトナーについて、次のようにして外添剤被覆率を測定した。
電子顕微鏡用観察基板にトナーを付着させ、トナーの付着した観察基板を金でコーティングし、トナーの表面を電子顕微鏡（日立製作所製走査電子顕微鏡Ｓ−４５００）で観察した。
トナー表面を３万倍に拡大した画像をパーソナルコンピュータに取り込み、画像処理ソフト（Ｍｅｄｉａ  Ｃｙｂｅｒｎｅｔｉｃｓ製Ｉｍａｇｅ−Ｐｒｏ  Ｐｌｕｓ）を用いて外添剤の面積を計測し、トナー表面画像の面積に対する外添剤面積の比を計算して外添剤被覆率を求めた。
５個以上のトナーについて外添剤被覆率を測定し、その平均値を求めた結果、トナーの外添剤被覆率の平均値は５８．２％であった。
本実施例では、ステアリン酸亜鉛を溶融し、一次粒径の平均値が１１０ｎｍで球形のシリカＣを添加・撹拌後に冷却固化させた潤滑剤Ａと、ステアリン酸亜鉛を溶融後に冷却固化させた潤滑剤Ｂを作製した。
前記に説明した遠心分離法により、実施例１の未帯電トナーと感光体及び中間転写ベルト間の付着力を測定した。本実施例の有機感光体材料を、アルミ蒸着したＰＥＴフィルム上に塗布して有機感光体膜を形成し、その上に上記の潤滑剤Ａを塗布した。
このフィルムを直径７．８ｍｍの円板状に切り出し、遠心分離に使用する試料基板上にプラスチック用接着剤を用いて貼り付けた。実施例１の未帯電トナーを自然落下させて感光体上に付着させ、前記の遠心分離法を用いてトナーと感光体間の非静電的付着力Ｆｎｅ（Ｐ）を測定した。
また、前記の中間転写ベルト上に上記の潤滑剤Ｂを塗布し、直径７．８ｍｍの円板状に切り出し、測定基板上にプラスチック用接着剤を用いて貼り付けた。
実施例１の未帯電トナーをこの中間転写ベルト上に自然落下させて付着させ、前記の遠心分離法を用いてトナーと中間転写ベルト間の非静電的付着力Ｆｎｅ（Ｔ）を測定した。
なお、付着力測定に使用した装置及び測定条件は下記のとおりである。
【０１４７】
＜付着力測定に使用した装置及び測定条件＞
遠心分離装置：日立工機製ＣＰ１００α
ロータ：日立工機製アングルロータＰ１００ＡＴ
画像処理装置：インタークエスト製Ｈｙｐｅｒ７００
試料基板と受け基板：直径８ｍｍ、厚み１．５ｍｍの円板で、材料はアルミニウム。
スペーサ：外径８ｍｍ、内径５．２ｍｍ、厚み１ｍｍでのリングで、材料はアルミニウム。
保持部材：直径１３ｍｍ、長さ５９ｍｍの円筒で、材料はアルミニウム。
ロータの中心軸から試料基板のトナー付着面までの距離：６４．５ｍｍ
設定回転数ｆ：１０００、１６００、２２００、２７００、３２００、５０００、７１００、８７００、１００００、１５８００、２２４００、３１６００、５００００、７０７００、８６６００、１０００００（ｒｐｍ）
【０１４８】
次に、転写中抜けの評価方法について説明する。
該転写中抜けの評価は、リコー製カラー複写機Ｉｍａｇｉｏ  Ｃｏｌｏｒ  ４０００を、次のように改造したものを用いて実施した。
Ｉｍａｇｉｏ  Ｃｏｌｏｒ  ４０００では、現像は二成分現像方式、転写は中間転写ベルト方式を用いているので、一色のみを現像するようにし、さらに外部信号によって任意のタイミングで作像プロセスを止められるように改造した。
また、中間転写ベルトの線速、記録紙の送り速度を任意に設定できるように改造した。さらに、感光体ドラムへの潤滑材の塗布、及び中間転写ベルトへの潤滑材の塗布を設定できるように改造した。
【０１４９】
このようにして作製しかつ本実施例の上記感光体及び中間転写ベルトを搭載した改造機（Ｉｍａｇｉｏ  Ｃｏｌｏｒ  ４０００改と言う）を用いて、感光体ドラム上に複数の細線画像の潜像を書き込み、一次転写の途中で作像プロセスを止め、転写ベルトユニットを複写機から取り出し、転写ベルト上の画像を目視及び光学顕微鏡によって観察し、細線画像の中抜け発生状況を評価した。
次に、未定着の記録紙上の画像を目視及び光学顕微鏡によって観察し、細線画像の中抜け発生状況を評価した。
【０１５０】
Ｉｍａｇｉｏ  Ｃｏｌｏｒ  ４０００で通常使用しているキャリアと、本実施例の上記トナーをトナー濃度が５重量％となるように混合して二成分現像剤を作製した。感光体の線速に対する中間転写ベルトと感光体の線速差の比と中間転写ベルトの線速に対する記録紙と中間転写ベルトの線速差の比を５％に設定し、感光体上に微粒子を含有した潤滑剤Ａを塗布し、中間転写ベルトに微粒子を含有しない潤滑剤Ｂを塗布し、中間転写ベルト上及び記録紙上のトナー画像の評価を行なった。また、５万枚連続複写後に、中間転写ベルト上及び記録紙上のトナー画像の評価と感光体表面の損傷を評価した。
本実施例における比Ｆｎｅ（Ｐ）／Ｆｎｅ（Ｔ）の測定値は０．４８で１以下となり、初期及び連続複写後共に、中間転写ベルト上での中抜けは問題の無い程度であり、中間転写ベルト上に潤滑剤が塗布されているので、記録紙上の中抜けも問題の無い程度であり、良好な画像が得られた。また、連続複写後の感光体表面の損傷程度はほぼ問題がなかった。
【０１５１】
（実施例２）
実施例１の現像剤を用い、感光体の線速に対する中間転写ベルトと感光体の線速差の比と中間転写ベルトの線速に対する記録紙と中間転写ベルトの線速差の比を５％に設定し、感光体上に微粒子を含有した潤滑剤Ａを塗布し、中間転写ベルト上には潤滑剤を塗布しないで、中間転写ベルト上及び記録紙上のトナー画像の評価を行なった。ベルト上には潤滑剤を塗布しない場合のＦｎｅ（Ｔ）を測定した結果、比Ｆｎｅ（Ｐ）／Ｆｎｅ（Ｔ）は０．３８で１以下となり、初期及び連続複写後共に、中間転写ベルト上での中抜けは問題の無い程度だったが、中間転写ベルト上に潤滑剤が塗布されていないので、記録紙上ではやや問題がある程度の中抜けが見られた。また、連続複写後の感光体表面の損傷程度はほぼ問題がなかった。
【０１５２】
（比較例１）
実施例１の現像剤を用い、感光体の線速に対する中間転写ベルトと感光体の線速差の比と中間転写ベルトの線速に対する記録紙と中間転写ベルトの線速差の比を５％に設定し、感光体上に潤滑剤Ｂを塗布し、中間転写ベルト上に潤滑剤Ａを塗布して、中間転写ベルト上及び記録紙上のトナー画像の評価を行なった。感光体上に潤滑剤Ｂを塗布した場合のＦｎｅ（Ｐ）、中間転写ベルト上に潤滑剤Ａを塗布した場合のＦｎｅ（Ｔ）を測定した結果、比Ｆｎｅ（Ｐ）／Ｆｎｅ（Ｔ）は２．１で１以上となり、初期及び連続複写後共に、中間転写ベルト上で問題がある程度の中抜けが見られ、記録紙上での中抜けは中間転写ベルト上と同程度となった。また、連続複写後の感光体表面の損傷程度はほぼ問題がなかった。
【０１５３】
（比較例２）
実施例１の現像剤を用い、感光体の線速に対する中間転写ベルトと感光体の線速差の比と中間転写ベルトの線速に対する記録紙と中間転写ベルトの線速差の比を５％に設定し、感光体上に潤滑剤を塗布せず、中間転写ベルト上にも潤滑剤を塗布しないで、中間転写ベルト上及び記録紙上のトナー画像の評価を行なった。感光体に潤滑剤を塗布しない場合のＦｎｅ（Ｐ）を測定した結果、比Ｆｎｅ（Ｐ）／Ｆｎｅ（Ｔ）は１．１で１以上となり、初期及び連続複写後共に、中間転写ベルト上で問題がある程度の中抜けが見られ、記録紙上ではさらに中抜けの程度が悪化した。また、連続複写後の感光体表面の損傷程度はほぼ問題がなかった。
【０１５４】
（実施例３）
ステアリン酸亜鉛を溶融し、シリカＢを添加・撹拌後に冷却固化させた潤滑剤Ｃを作製した。実施例１の現像剤を用い、感光体の線速に対する中間転写ベルトと感光体の線速差の比と中間転写ベルトの線速に対する記録紙と中間転写ベルトの線速差の比を５％に設定し、感光体上に潤滑剤Ｃを塗布し、中間転写ベルト上に潤滑剤Ｂを塗布して、中間転写ベルト上及び記録紙上のトナー画像の評価を行なった。感光体上に潤滑剤Ｃを塗布した場合のＦｎｅ（Ｐ）を測定した結果、比Ｆｎｅ（Ｐ）／Ｆｎｅ（Ｔ）は０．４１で１以下となり、初期及び連続複写後共に、中間転写ベルト上での中抜けは問題の無い程度であり、中間転写ベルト上に潤滑剤が塗布されているので、記録紙上の中抜けも問題の無い程度であり、良好な画像が得られた。また、連続複写後の感光体表面の損傷はやや問題がある程度となり、実施例１の結果と比較すると、潤滑剤中の微粒子の形状は球形の方が好ましい。
【０１５５】
（実施例４）
ステアリン酸亜鉛を溶融し、一次粒径の平均値が２５ｎｍで球形の酸化チタンＢを添加・撹拌後に冷却固化させた潤滑剤Ｄを作製した。実施例１の現像剤を用い、感光体の線速に対する中間転写ベルトと感光体の線速差の比と中間転写ベルトの線速に対する記録紙と中間転写ベルトの線速差の比を５％に設定し、感光体上に潤滑剤Ｄを塗布し、中間転写ベルト上に潤滑剤Ｂを塗布して、中間転写ベルト上及び記録紙上のトナー画像の評価を行なった。感光体上に潤滑剤Ｄを塗布した場合のＦｎｅ（Ｐ）を測定した結果、比Ｆｎｅ（Ｐ）／Ｆｎｅ（Ｔ）は０．４４で１以下となり、初期及び連続複写後共に、中間転写ベルト上での中抜けは問題の無い程度であり、中間転写ベルト上に潤滑剤が塗布されているので、記録紙上の中抜けも問題の無い程度であり、良好な画像が得られた。また、連続複写後の感光体表面の損傷程度はほぼ問題がなかった。
【０１５６】
（実施例５）
ステアリン酸亜鉛を溶融し、シリカＣと酸化チタンＢを添加・撹拌後に冷却固化させた潤滑剤Ｅを作製した。実施例１の現像剤を用い、感光体の線速に対する中間転写ベルトと感光体の線速差の比と中間転写ベルトの線速に対する記録紙と中間転写ベルトの線速差の比を５％に設定し、感光体上に潤滑剤Ｅを塗布し、中間転写ベルト上に潤滑剤Ｂを塗布して、中間転写ベルト上及び記録紙上のトナー画像の評価を行なった。感光体上に潤滑剤Ｅを塗布した場合のＦｎｅ（Ｐ）を測定した結果、比Ｆｎｅ（Ｐ）／Ｆｎｅ（Ｔ）は０．４７で１以下となり、初期及び連続複写後共に、中間転写ベルト上での中抜けは問題の無い程度であり、中間転写ベルト上に潤滑剤が塗布されているので、記録紙上の中抜けも問題の無い程度であり、良好な画像が得られた。また、連続複写後の感光体表面の損傷程度はほぼ問題がなかった。
【０１５７】
（実施例６）
実施例１で得た重合粒子Ａに、シリカＡを０．２重量％、シリカＢを０．１５重量％、酸化チタンＡを０．１５重量％配合し、ヘンシェルミキサーによって攪拌混合処理して実施例６のトナーを作製した。
実施例１と同様にして外添剤被覆率を測定した結果、トナーの外添剤被覆率の平均値は１６．９％となった。
Ｉｍａｇｉｏ  Ｃｏｌｏｒ  ４０００で使用しているキャリアと本実施例のトナーを、トナー濃度が５重量％となるように混合して、実施例６の二成分現像剤を作製した。
実施例６の現像剤を用い、感光体の線速に対する中間転写ベルトと感光体の線速差の比と中間転写ベルトの線速に対する記録紙と中間転写ベルトの線速差の比を５％に設定し、感光体上に潤滑剤Ａを塗布し、中間転写ベルト上に潤滑剤Ｂを塗布して、中間転写ベルト上及び記録紙上のトナー画像の評価を行なった。感光体上に潤滑剤Ａを塗布した場合のＦｎｅ（Ｐ）、中間転写ベルト上に潤滑剤Ｂを塗布した場合のＦｎｅ（Ｔ）を測定した結果、比Ｆｎｅ（Ｐ）／Ｆｎｅ（Ｔ）は０．３８で１以下となり、初期及び連続複写後共に、中間転写ベルト上での中抜けは問題の無い程度であり、中間転写ベルト上に潤滑剤が塗布されているので、記録紙上の中抜けも問題の無い程度であり、良好な画像が得られた。また、連続複写後の感光体表面の損傷程度はほぼ問題がなかった。
【０１５８】
（実施例７）
実施例１で得た重合粒子Ａに、シリカＡを１．３重量％、シリカＢを０．６重量％、酸化チタンＡを１．１重量％配合し、ヘンシェルミキサーによって攪拌混合処理して実施例７のトナーを作製した。実施例１と同様にして外添剤被覆率を測定した結果、トナーの外添剤被覆率の平均値は７１．３％となった。
Ｉｍａｇｉｏ  Ｃｏｌｏｒ  ４０００で使用しているキャリアと実施例のトナーを、トナー濃度が５重量％となるように混合して、実施例７の二成分現像剤を作製した。
実施例７の現像剤を用い、感光体の線速に対する中間転写ベルトと感光体の線速差の比と中間転写ベルトの線速に対する記録紙と中間転写ベルトの線速差の比を５％に設定し、感光体上に潤滑剤Ａを塗布し、中間転写ベルト上に潤滑剤Ｂを塗布して、中間転写ベルト上及び記録紙上のトナー画像の評価を行なった。感光体上に潤滑剤Ａを塗布した場合のＦｎｅ（Ｐ）、中間転写ベルト上に潤滑剤Ｂを塗布した場合のＦｎｅ（Ｔ）を測定した結果、比Ｆｎｅ（Ｐ）／Ｆｎｅ（Ｔ）は０．５４で１以下となり、初期及び連続複写後共に、中間転写ベルト上での中抜けは問題の無い程度であり、中間転写ベルト上に潤滑剤が塗布されているので、記録紙上の中抜けも問題の無い程度であり、良好な画像が得られた。また、連続複写後の感光体表面の損傷程度はほぼ問題がなかった。
【０１５９】
（参考例１）
実施例１で得た重合粒子Ａに、シリカＡを０．０５重量％、シリカＢを０．１重量％、酸化チタンＡを０．０５重量％配合し、ヘンシェルミキサーによって攪拌混合処理して参考例１のトナーを作製した。
実施例１と同様にして外添剤被覆率を測定した結果、トナーの外添剤被覆率の平均値は８．１％となった。Ｉｍａｇｉｏ  Ｃｏｌｏｒ  ４０００で使用しているキャリアと本参考例のトナーを、トナー濃度が５重量％となるように混合して、参考例１の二成分現像剤を作製した。
参考例１の現像剤を用い、感光体の線速に対する中間転写ベルトと感光体の線速差の比と中間転写ベルトの線速に対する記録紙と中間転写ベルトの線速差の比を５％に設定し、感光体上に潤滑剤Ａを塗布し、中間転写ベルト上に潤滑剤Ｂを塗布して、中間転写ベルト上及び記録紙上のトナー画像の評価を行なった。感光体上に潤滑剤Ａを塗布した場合のＦｎｅ（Ｐ）、中間転写ベルト上に潤滑剤Ｂを塗布した場合のＦｎｅ（Ｔ）を測定した結果、比Ｆｎｅ（Ｐ）／Ｆｎｅ（Ｔ）は０．３１で１以下となったが、本トナーは外添剤被覆率が低く、凝集性が高いため、初期には、中間転写ベルト上及び記録紙上でやや問題のある程度の中抜けが発生した。連続複写後は、外添剤の埋没によりさらに凝集性が高くなり、中間転写ベルト上及び記録紙上で問題のある程度の中抜けが発生した。また、連続複写後の感光体表面の損傷程度はほぼ問題がなかった。
【０１６０】
（実施例８）
下記組成の混合物をヘンシェルミキサー中で充分撹拌混合した後、ロールミルにより１３０〜１４０℃の温度で約３０分間加熱溶融し、室温まで冷却後、ハンマーミルを用いて得られた混練物を約１ｍｍ〜２ｍｍに粗粉砕し、ジェットミルで微粉砕し、不定形の粒子Ｂを得た。
＜混合物組成＞
ポリエステル樹脂（重量平均分子量２５万）    ８０重量部
スチレン−メチルメタアクリレート共重合体    ２０重量部
酸価ライスワックス（酸価１５）                ５重量部
カーボンブラック（三菱化成工業社製、＃４４）  ８重量部
含金属モノアゾ染料                            ３重量部
【０１６１】
上記混合物から得た粒子Ｂを、奈良機械製作所製のハイブリダイゼーションシステムにより回転数１２０００ｒｐｍで５分間処理して球形化し、風力式分級機を用いて分級し、平均円形度が０．９６１、体積平均粒径が７．１μｍの粒子Ｃを得た。粒子Ｃに、シリカＡを０．９重量％、シリカＢを０．７重量％、酸化チタンＡを０．８重量％配合し、ヘンシェルミキサーによって攪拌混合処理して実施例７のトナーを作製した。実施例１と同様にして外添剤被覆率を測定した結果、トナーの外添剤被覆率の平均値は５８．３％となった。Ｉｍａｇｉｏ  Ｃｏｌｏｒ  ４０００で使用しているキャリアと本実施例のトナーを、トナー濃度が５重量％となるように混合して、実施例８の二成分現像剤を作製した。
【０１６２】
実施例８の現像剤を用い、感光体の線速に対する中間転写ベルトと感光体の線速差の比と中間転写ベルトの線速に対する記録紙と中間転写ベルトの線速差の比を５％に設定し、感光体上に潤滑剤Ａを塗布し、中間転写ベルト上に潤滑剤Ｂを塗布して、中間転写ベルト上及び記録紙上のトナー画像の評価を行なった。感光体上に潤滑剤Ａを塗布した場合のＦｎｅ（Ｐ）、中間転写ベルト上に潤滑剤Ｂを塗布した場合のＦｎｅ（Ｔ）を測定した結果、比Ｆｎｅ（Ｐ）／Ｆｎｅ（Ｔ）は０．４５で１以下となり、初期及び連続複写後、中間転写ベルト上での中抜けは問題の無い程度であり、中間転写ベルト上に潤滑剤が塗布されているので、記録紙上の中抜けも問題の無い程度であり、良好な画像が得られた。また、連続複写後の感光体表面の損傷程度はほぼ問題がなかった。
【０１６３】
（参考例２）
実施例８で得た粒子Ｂに、シリカＡを０．９重量％、酸化チタンＡを１．０重量％配合し、ヘンシェルミキサーによって攪拌混合処理して参考例２のトナーを作製した。実施例１と同様にして外添剤被覆率を測定した結果、トナーの外添剤被覆率の平均値は５１．５％となった。Ｉｍａｇｉｏ  Ｃｏｌｏｒ  ４０００で使用しているキャリアと本比較例のトナーを、トナー濃度が５重量％となるように混合して、参考例２の二成分現像剤を作製した。
参考例２の現像剤を用い、感光体の線速に対する中間転写ベルトと感光体の線速差の比と中間転写ベルトの線速に対する記録紙と中間転写ベルトの線速差の比を５％に設定し、感光体上に潤滑剤Ａを塗布し、中間転写ベルト上に潤滑剤Ｂを塗布して、中間転写ベルト上及び記録紙上のトナー画像の評価を行なった。感光体上に潤滑剤Ａを塗布した場合のＦｎｅ（Ｐ）、中間転写ベルト上に潤滑剤Ｂを塗布した場合のＦｎｅ（Ｔ）を測定した結果、比Ｆｎｅ（Ｐ）／Ｆｎｅ（Ｔ）は０．５１で１以下となり、初期には、中間転写ベルト上での中抜けは問題の無い程度であり、中間転写ベルト上に潤滑剤が塗布されているので、記録紙上の中抜けも問題の無い程度であり、良好な画像が得られた。連続複写後は、中間転写ベルト上及び記録紙上で問題のある中抜けが発生した。これは、参考例２のトナーでは粒子径の大きな外添剤を用いていないため、連続複写により外添剤が埋没し、凝集性が高くなったためと考えられる。また、連続複写後の感光体表面の損傷程度はほぼ問題がなかった。
【図面の簡単な説明】
【０１６４】
【図１】本発明の画像形成装置の一例を示す概略構成図である。
【図２】本発明の画像形成装置に設置される二成分現像剤を供給する現像装置の一例を示す概略構成図である。
【図３】トナーと感光体間及び中間転写体に作用する付着力及び摩擦力を説明するための概念図である。
【図４】本発明に係るトナーと感光体間の付着力を測定する測定セルを説明するための概略斜視図である。
【図５】本発明に係るトナーと感光体間の付着力を測定する遠心分離装置の要部断面を示す側面図である。
【符号の説明】
【０１６５】
１１  感光体ドラム
１２  帯電装置
１３  露光装置
１４  現像装置
１４Ｂ、１４Ｃ、１４Ｍ、１４Ｙ  現像装置
１５  潤滑剤塗布装置
１６  クリーニング装置（クリーニングブレード）
１７  除電装置
１８  回転ブラシ
１９  潤滑剤
２０  潤滑剤塗布装置
２１  回転ブラシ
２２  潤滑剤
２５  転写装置
２６ａ〜２６ｆ  ローラ
２７  中間転写ベルト
２８  クリーニング装置
２９  記録材
３０  定着装置
３１  定着ローラ
３２  加圧ローラ
４１  スクリュー
４２  現像スリーブ
４３  ドクターブレード
６１  測定セル
６２  試料基板
６２ａ  試料面
６３  受け基板
６３ａ  付着面
６４  スペーサ
７５  遠心分離装置
７６  ロータ
７７  保持部材
７７ａ  棒状部
７７ｂ  セル保持部
７７ｃ  穴部
７７ｄ  設置固定部
７８  試料設置部
７９  回転中心軸
【図１】
2004302422.tif 000012
【図２】
2004302422.tif 000013
【図３】
2004302422.tif 000014
【図４】
2004302422.tif 000015
【図５】
2004302422.tif 000016